(57)【要約】【課題】　被乾燥物は、拡散用載せ板上および収束用載せ板上の両方のほぼ全面に亙ってほぐしながら広く展開させて行くことにより、被乾燥物の比表面積も展開表面積も大きくして、被乾燥物を均質にしかも速やかに乾燥させていく。【解決手段】　拡散用載せ板８上で、その板中央部に上から落下してきた被乾燥物５を受け取って、この被乾燥物５をその板中央部から板周辺部に向かって拡散操作手段９で近似渦巻き条材状に形成しながら拡散移動させて行って、外周部落下口１０から落下させて行く。集束用載せ板１１上で、その板周辺部に上から落下してきた被乾燥物５を受け取って、この被乾燥物５をその板周辺部から板中央部に向かって集束操作手段１２で近似渦巻き条材状に形成しながら集束移動させて行って、中央部落下口１３から落下させて行くように構成した。【選択図】　図１
2004125387.tif 000002
【特許請求の範囲】
【請求項１】
　含水物質の乾燥装置は、縦型の乾燥室容器(１)、遠心方向拡散移送装置(２)、求心方向集束移送装置(３)、および移送駆動装置(４)を備え、この縦型の乾燥室容器(１)内に遠心方向拡散移送装置(２)と求心方向集束移送装置(３)とを、互いに上下に間隔を空けて同心状に設け、
　前記乾燥室容器(１)は、容器上部に被乾燥物(５)の投入口(６)を設け、容器下部に被乾燥物(５)の排出口(７)を設け、
　前記遠心方向拡散移送装置(２)は、被乾燥物(５)を載せる拡散用載せ板(８)と、被乾燥物(５)を拡散用載せ板(８)上でその板中央部から板周辺部へ拡散移動させて行く拡散操作手段(９)と、被乾燥物(５)を拡散用載せ板(８)の外周部から落下させるための外周部落下口(10)とを備え、
　この拡散用載せ板(８)と拡散操作手段(９)とのうちの、いずれか一方を乾燥室容器(１)に固定するのに対して、その他方を前記移送駆動装置(４)で水平方向に旋回駆動可能に構成し、
　これにより、拡散用載せ板(８)上で、その板中央部に上から落下してきた被乾燥物(５)を受け取って、この被乾燥物(５)をその板中央部から板周辺部に向かって拡散操作手段(９)で拡散移動させて行って、外周部落下口(10)から落下させて行くように構成し、
　前記求心方向集束移送装置(３)は、被乾燥物(５)を載せる集束用載せ板(11)と、被乾燥物(５)を集束用載せ板(11)上でその板周辺部から板中央部へ集束移動させて行く集束操作手段(12)と、乾燥物(５)を集束用載せ板(11)の板中央部から落下させるための中央部落下口(13)とを備え、
　この集束用載せ板(11)と集束操作手段(12)とのうちの、いずれか一方を乾燥室容器(１)に固定するのに対して、その他方を前記移送駆動装置(４)で水平方向に旋回駆動可能に構成し、
　これにより、集束用載せ板(11)上で、その板周辺部に上から落下してきた被乾燥物(５)を受け取って、この被乾燥物(５)をその板周辺部から板中央部に向かって集束操作手段(12)で集束移動させて行って、中央部落下口(13)から落下させて行くように構成し、
　たことを特徴とする含水物質の乾燥装置。
【請求項２】
　請求項１に記載の含水物質の乾燥装置において、
　前記遠心方向拡散移送装置(２)の拡散操作手段(９)は、複数枚の拡散操作羽根(14)…と、これらの拡散操作羽根(14)…を支持する拡散羽根支持具(15)とを備え、これら複数枚の拡散操作羽根(14)…は互いに、拡散操作手段(９)と前記拡散用載せ板(８)との相対回転の回転周方向および回転半径方向へ順にずらせて配置し、
　これにより、被乾燥物(５)は拡散用載せ板(８)上でその板中央部から板周辺部に向かって、各拡散操作羽根(14)…で遠心方向へ順に押し出されて行くことにより、近似渦巻き条材状(20)に形成されながら拡散移動させられて行って、外周部落下口(10)から落下して行くように構成し、
　前記求心方向集束移送装置(３)の集束操作手段(12)は、複数枚の集束操作羽根(16)…と、これらの集束操作羽根(16)…を支持する集束羽根支持具(17)とを備え、これら複数枚の集束操作羽根(16)…は互いに、集束操作手段(12)と前記集束用載せ板(11)との相対回転の回転周方向および回転半径方向に順にずらせて配置し、
　これにより、被乾燥物(５)は集束用載せ板(11)上でその板周辺部から板中央部に向かって、各集束操作羽根(16)…で求心側へ順に押し込まれて行くことにより、近似渦巻き条材状(21)に形成されながら集束移動させられて行って、中央部落下口(13)から落下して行くように構成した、
　ことを特徴とする含水物質の乾燥装置。
【請求項３】
　請求項２に記載の含水物質の乾燥装置において、
　前記遠心方向拡散移送装置(２)の拡散操作手段(９)の拡散羽根支持具(15)は、拡散操作手段(９)と前記拡散用載せ板(８)との相対回転の回転中心部から放射方向にのびる２本以上の拡散羽根支持腕(18)…同士を一体に連結したものから成り、
　この２本以上の各拡散羽根支持腕(18)…の腕長さ方向の複数箇所にそれぞれ前記各拡散操作羽根(14)…を固定し、各拡散羽根支持腕(18)…同士間では各拡散操作羽根(14)…を固定する各腕長さ位置を互いに順にずらせていくように構成し、
　前記求心方向集束移送装置(３)の集束操作手段(12)の集束羽根支持具(17)は、集束操作手段(12)と前記集束用載せ板(11)との相対回転の回転中心部から放射方向にのびる２本以上の集束羽根支持腕(19)…同士を一体に連結したものから成り、
　この２本以上の各集束羽根支持腕(19)…の腕長さ方向の複数箇所にそれぞれ前記各集束操作羽根(16)…を固定し、各集束羽根支持腕(19)…同士間では各集束操作羽根(16)…を固定する各腕長さ位置を互いに順にずらせていくように構成した、
　ことを特徴とする含水物質の乾燥装置。
【請求項４】
　請求項２または３に記載の含水物質の乾燥装置において、
　前記遠心方向拡散移送装置(２)の拡散用載せ板(８)上で、被乾燥物(５)が近似渦巻き条材状(20)に形成されながら拡散移動させられて行く途上において、前記複数枚の拡散操作羽根(14)…の少なくとも一部は、前記被乾燥物(５)の近似渦巻き条材状(20)の条材状肉幅(22)のうちの一部の肉幅部分(23)を残して、残部の肉幅部分(24)のみを切り分けて遠心側へ押し出していくように配置した、
　ことを特徴とする含水物質の乾燥装置。
【請求項５】
　請求項４に記載の含水物質の乾燥装置において、
　前記拡散用載せ板(８)上で、前記近似渦巻き条材状(20)の条材状肉幅(22)のうちの残部の肉幅部分(24)のみを遠心側へ押し出して行く拡散操作羽根(14)は、これを複数枚断続させて排列し、
　この排列された複数枚の拡散操作羽根(14)…のうちの、拡散用載せ板(８)の板中央部側に位置する拡散操作羽根(14)で遠心側へ押し出された近似渦巻き条材状(20)の前記残部の肉幅部分(24)が、これよりも板周辺部側に位置する拡散操作羽根(14)で遠心側へは押し出されずに置き残された近似渦巻き条材状(20)の前記一部の肉幅部分(23)に接当して合体するように構成した、
　ことを特徴とする含水物質の乾燥装置。
【請求項６】
　請求項４または５に記載の含水物質の乾燥装置において、
　前記遠心方向拡散移送装置(２)の拡散操作手段(９)の羽根支持具(15)は、拡散操作手段(９)と前記拡散用載せ板(８)との相対回転の回転中心部から放射方向にのびる４本以上の偶数本の拡散羽根支持腕(18)…同士を一体に連結したものから成り、
　この４本以上の偶数本の各拡散羽根支持腕(18)…の腕長さ方向の複数箇所にそれぞれ前記拡散操作羽根(14)…を固定し、各拡散羽根支持腕(18)…同士間では各拡散操作羽根(14)を固定する各腕長さ位置を互いに順にずらせていくように構成した、
　ことを特徴とする含水物質の乾燥装置。
【請求項７】
　請求項２・３・４・５または６に記載の含水物質の乾燥装置において、
　前記求心方向集束移送装置(３)の集束用載せ板(11)上で、被乾燥物(５)が近似渦巻き条材状(21)に形成されながら集束移動させられて行く途上において、前記複数枚の集束操作羽根(16)…の少なくとも一部は、前記被乾燥物(５)の近似渦巻き条材状(21)の条材状肉幅(25)のうちの一部の肉幅部分(26)を置き残して、残部の肉幅部分(27)のみを切り分けて求心側へ押し込んでいくように配置した、
　ことを特徴とする含水物質の乾燥装置。
【請求項８】
　請求項７に記載の含水物質の乾燥装置において、
　前記集束用載せ板(11)上で、前記近似渦巻き条材状(21)の条材状肉幅(25)のうちの残部の肉幅部分(27)のみを求心側へ押し出して行く集束操作羽根(16)は、これを複数枚断続させて排列し、
　この排列された複数枚の拡散操作羽根(16)…のうちの、集束用載せ板(11)の板周辺部側に位置する集束操作羽根(16)で求心側へ押し込まれた近似渦巻き条材状(21)の前記残部の肉幅部分(27)が、これよりも板中央部側に位置する集束操作羽根(16)で求心側へは押し出されずに置き残された近似渦巻き条材状(21)の前記一部の肉幅部分(26)に接当して合体するように構成した、
　ことを特徴とする含水物質の乾燥装置。
【請求項９】
　請求項７または８に記載の含水物質の乾燥装置において、
　前記求心方向拡散移送装置(３)の集束操作手段(12)の集束羽根支持具(17)は、集束操作手段(12)と前記集束用載せ板(11)との相対回転の回転中心部から放射方向にのびる４本以上の偶数本の集束羽根支持腕(19)…同士を一体に連結したものから成り、
　この４本以上の偶数本の各集束羽根支持腕(19)…の腕長さ方向の複数箇所にそれぞれ前記集束操作羽根(16)…を固定し、各集束羽根支持腕(19)…同士間では各集束操作羽根(16)を固定する各腕長さ位置を互いに順にずらせていくように構成した、
　ことを特徴とする含水物質の乾燥装置。
【請求項１０】
　請求項２−９のどれか１項に記載の含水物質の乾燥装置において、
　前記遠心方向拡散移送装置(２)の拡散操作手段(９)の複数枚の拡散操作羽根(14)…のうち、拡散操作手段(９)と前記拡散用載せ板(８)との相対回転の回転中心に近いものから遠いものに移行するにつれて、各拡散操作羽根(14)…の遠心方向への押出し寸法(31)を次第に小さくなる寸法に設定するとともに、各拡散操作羽根(14)…の回転円の接線に対する押出し用傾斜角度(32)を次第に小さくなる角度に設定した、
　ことを特徴とする含水物質の乾燥装置。
【請求項１１】
　請求項２−１０のどれか１項に記載の含水物質の乾燥装置において、
　前記求心方向集束移送装置(３)の集束操作手段(12)の複数枚の集束操作羽根(16)…のうち、集束操作手段(12)と前記集束用載せ板(11)との相対回転の回転中心から遠いものから近いものに移行するにつれて、各集束操作羽根(16)…の求心方向への押込み寸法(33)を次第に大きくなる寸法に設定するとともに、各収束操作羽根(16)…の回転円の接線に対する押込み用傾斜角度(34)を次第に大きくなる角度に設定した、
　ことを特徴とする含水物質の乾燥装置。
【請求項１２】
　請求項１−１１のどれか１項に記載の含水物質の乾燥装置において、
　前記遠心方向拡散移送装置(２)の拡散用載せ板(８)を加熱する発熱体(36)をこの拡散用載せ板(８)に設け、この拡散用載せ板(８)上で拡散操作手段(９)により拡散移動させられて行く前記被乾燥物(５)の各部が、拡散用載せ板(８)との接触部を通じて、その発熱体(36)から発する熱で加熱されるように構成した、
　ことを特徴とする含水物質の乾燥装置。
【請求項１３】
　請求項１２に記載の含水物質の乾燥装置において、
　前記遠心方向拡散移送装置(２)の拡散用載せ板(８)の上面に遠赤外線発生層(37)を設け、この拡散用載せ板(８)に設けた前記発熱体(36)から発する熱がこの遠赤外線発生層(37)で遠赤外線に変換され、この遠赤外線によりこの拡散用載せ板(８)上で拡散操作手段(９)により拡散移動させられていく前記被乾燥物(５)の各部が加熱されるように構成した、
　ことを特徴とする含水物質の乾燥装置。
【請求項１４】
　請求項１２または１３に記載の含水物質の乾燥装置において、
　前記遠心方向拡散移送装置(２)の拡散用載せ板(８)の下面に遠赤外線発生層(38)を設け、この拡散用載せ板(８)に設けた前記発熱体(36)から発する熱がこの遠赤外線発生層(38)で遠赤外線に変換され、この遠赤外線によりこの拡散用載せ板(８)のすぐ下側に位置する前記求心方向集束移送装置(３)の集束用載せ板(11)上で集束操作手段(12)により集束移動させられていく前記被乾燥物(５)の各部が加熱されるように構成した、
　ことを特徴とする含水物質の乾燥装置。
【請求項１５】
　請求項１−１４のどれか１項に記載の含水物質の乾燥装置において、
　前記求心方向集束移送装置(３)の集束用載せ板(11)を加熱する発熱体(40)をこの集束用載せ板(11)に設け、この集束用載せ板(11)上で集束操作手段(12)により集束移動させられて行く前記被乾燥物(５)の各部が、収束用載せ板(11)との接触部を通じて、その発熱体(40)から発する熱で加熱されるように構成した、
　ことを特徴とする含水物質の乾燥装置。
【請求項１６】
　請求項１５に記載の含水物質の乾燥装置において、
　前記求心方向集束移送装置(３)の集束用載せ板(11)の上面に遠赤外線発生層(41)を設け、この集束用載せ板(11)に設けた前記発熱体(40)から発する熱がこの赤外線発生層(41)で遠赤外線に変換され、この遠赤外線によりこの集束用載せ板(11)上で集束操作手段(12)により集束移動させられていく前記被乾燥物(５)の各部が加熱されるように構成した、
　ことを特徴とする含水物質の乾燥装置。
【請求項１７】
　請求項１５または１６に記載の含水物質の乾燥装置において、
　前記求心方向集束移送装置(３)の集束用載せ板(11)の下面に遠赤外線発生層(42)を設け、この集束用載せ板(11)に設けた前記発熱体(40)から発する熱がこの赤外線発生層(42)で遠赤外線に変換され、この遠赤外線によりこの集束用載せ板(11)のすぐ下側に位置する前記遠心方向拡散移送装置(２)の拡散用載せ板(８)上で拡散操作手段(９)により拡散移動させられていく前記被乾燥物(５)の各部が加熱されるように構成した、
　ことを特徴とする含水物質の乾燥装置。
【請求項１８】
　請求項１−１７のどれか１項に記載の含水物質の乾燥装置において、
　前記乾燥室容器(１)に空気除湿器(44)・空気加熱器(45)・および送風器(46)を空気循環可能に連通させ、
　この送風器(46)で送風される乾燥用空気は、まず空気除湿器(44)で除湿したのち、空気加熱器(45)で温度上昇させて相対湿度を低下させておき、
　次いで乾燥室容器(１)内で遠心方向拡散移送装置(２)および求心方向集束移送装置(３)を通過する段階で、拡散用載せ板(８)上で拡散操作手段(９)により拡散移動させられて行く被乾燥物(５)と、集束用載せ板(11)上で集束操作手段(12)により集束移動させられて行く被乾燥物(５)とから水分を吸収して、これらの被乾燥物(５)(５)を乾燥させて行き、
　そして再び空気除湿器(39)で除湿したのち、空気加熱器(40)に戻して温度上昇させてから、乾燥室容器(１)に循環させるように構成した、
　ことを特徴とする含水物質の乾燥装置。
【請求項１９】
　請求項１８に記載の含水物質の乾燥装置において、
　前記乾燥室容器(１)内の遠心方向拡散移送装置(２)で拡散移動させられていく被乾燥物(５)および求心方向集束移送装置(３)で集束移動させられていく被乾燥物(５)の水分を吸収した乾燥用空気の湿度を検出する空気湿度センサ(47)を、乾燥室容器(１)内の乾燥用空気流路の下流側部分から前記空気除湿器(44)に至るまでの間に設け、
　この空気湿度センサ(47)は、その湿度検出値が設定湿度値よりも高い高湿度領域内にあるときには、前記空気加熱器(45)を加熱作動させるのに対して、その湿度検出値が設定湿度値よりも低い低湿度領域内にあるときには、前記空気加熱器(45)を加熱停止させるように構成した、
　ことを特徴とする含水物質の乾燥装置。
【請求項２０】
　請求項１８に記載の含水物質の乾燥装置において、
　前記乾燥室容器(１)内の遠心方向拡散移送装置(２)で拡散移動させられていく被乾燥物(５)および求心方向集束移送装置(３)で集束移動させられていく被乾燥物(５)の水分を吸収した乾燥用空気の湿度を検出する空気湿度センサ(47)を、乾燥室容器(１)内の乾燥用空気流路の下流側部分から前記空気除湿器(44)に至るまでの間に設け、
　この空気湿度センサ(47)は、その湿度検出値が高い高湿度領域の場合と比べて、その湿度検出値が低い低湿度領域の場合の方が、前記空気加熱器(45)の加熱温度を低下させるように構成した、
　ことを特徴とする含水物質の乾燥装置。
【請求項２１】
　上部に被乾燥物の投入口(112)を設け、下部に被乾燥物の取出口(113)を設け、内部に上下多段に配置されていて前記投入口(112)から投入された被乾燥物を順次受け取り得る複数段の棚板(114,114・・)を設けた乾燥容器(101)と、前記各棚板(114,114・・)上の被乾燥物をそれぞれ下段側に送り出す送出装置(102)と、前記乾燥容器(101)内に温風を供給する温風供給装置(104)と、前記取出口(113)から取り出される被乾燥物を前記乾燥容器(101)の上部から該乾燥容器(101)内に戻す被乾燥物の搬送装置(103)とを備えるとともに、前記搬送装置(103)の途中に被乾燥物を排出するための扉(137)付きの排出口(136)を設けたことを特徴とする生ゴミ乾燥装置。
【請求項２２】
　請求項２１に記載の生ゴミ乾燥装置において、搬送装置(103)の途中に被乾燥物を一時的に貯留し得る貯留容器(105)を設け、該貯留容器(105)に生ゴミ投入口(151)を設けたことを特徴とする生ゴミ乾燥装置。
【請求項２３】
　請求項２２に記載の生ゴミ乾燥装置において、貯留容器(105)の生ゴミ投入口(151)に、生ゴミを細断する細断装置(163)付きの生ゴミ投入容器(106)を接続させたことを特徴とする生ゴミ乾燥装置。
【請求項２４】
　請求項２１から２３のいずれか１項に記載の生ゴミ乾燥装置において、各棚板(114,114・・)の上面部に面状発熱体(117)を設けたことを特徴とする生ゴミ乾燥装置。
【発明の詳細な説明】
【技術分野】
【０００１】
　本発明は、含水物質の乾燥装置および生ゴミ乾燥装置に関し、例えばホテルやレストランにおいて、食品の調理時や食事後や賞味期限後に出る生ゴミ、または食品・医薬品・健康食品などのメーカーにおいて、食品・医薬品・健康食品の製造時に出る含水物質の廃棄物などを乾燥させるのに用いる装置に関する。
【背景技術】
【０００２】
　従来では、この種の含水物質の乾燥装置として、例えば次に掲げるものがある。
　○　従来技術１．　特開２０００−８１２８０号公報．　特許文献１．
　［構成］　横型の乾燥ドラムを水平軸心回りに回転させて、乾燥ドラム内に投入・収容された生ゴミを混ぜ合わせる。これと同時に、この乾燥ドラム内でこれと同心状で高速回転する撹拌ブレードによって生ゴミを粉砕しながら撹拌する。この生ゴミの粉砕・撹拌物を、乾燥ドラムを内包する加熱チャンバーで発生する熱によって加熱・乾燥させるものである。
【０００３】
　［問題点］　横型の乾燥ドラム内で、生ゴミが重力により横型の乾燥ドラム内の下部に落下して来て集まる事、および、生ゴミが撹拌ブレードで打撃されて乾燥ドラムの内周面に膠着し易い事から、生ゴミは比表面積が大きくなりにくいうえ、広く展開され難いため、均質に速やかに乾燥させていくことができない。
【０００４】
　○　従来技術２．　特開２００３−７１２６３号公報．　特許文献２．
　［構成］　縦型の逆円錐状の処理槽内に具備した回転翼によって、処理槽内の処理物を処理槽の内周壁に沿って上昇させる。この上昇された処理物を渦流ブレーカによって処理槽の中央部付近に移動させて、処理物を再度下方に落下させる。この処理物の処理槽の内周壁に沿う上昇と中央部付近での落下を繰り返し行いながら、処理物の混合・破砕・乾燥を行う。前記渦流ブレーカは、処理槽の複数高さ位置に設けたものである。
【０００５】
　［問題点］　縦型の逆円錐状の処理槽内で、処理物が回転翼で処理槽の内周壁に沿って上昇されるときにこの内周壁に圧し固められて膠着し易い事、および、処理物が処理槽の内周壁付近と中央部とに集まり易い事から、処理物は比表面積が大きくなりにくいうえ、広く展開され難いため、均質に速やかに乾燥させていくことができない。
【０００６】
【特許文献１】特開２０００−８１２８０号公報．
【特許文献２】特開２００３−７１２６３号公報．
【発明の開示】
【発明が解決しようとする課題】
【０００７】
　本発明の主な課題は、次のようにすることにある。
　（イ）．　被乾燥物は、拡散用載せ板上および収束用載せ板上の両方のほぼ全面に亙ってほぐしながら広く展開させて行くことにより、比表面積も展開表面積も大きくして、均質にしかも速やかに乾燥させていく。
【０００８】
　（ロ）．　拡散用載せ板上および集束用載せ板上で、被乾燥物を近似渦巻き条材状に形成しながら拡散移動または集束移動させて行くことにより、この近似渦巻き条材状の被乾燥物の広い水分蒸発表面積からの乾燥速度も、肉厚の浅い内部中心部分からの乾燥速度も共に速めて、乾燥性能をさらに高める。
【０００９】
　（ハ）．　拡散羽根支持具も収束羽根支持具も共に、放射方向にのびる２本以上の拡散羽根支持腕同士または収束羽根支持腕同士を一体に形成したもので構成することにより、これらを円板で形成する場合と比べて、軽量で安価に製造する。
【００１０】
　（ニ）．　拡散用載せ板上または集束用載せ板上において、被乾燥物の近似渦巻き条材状の条材状肉幅のうちの乾燥されにくくて含水量の多い内部を切り開いて新たに露出せ、この新たな露出面から水分を速やかに蒸発させて行くことにより、被乾燥物の乾燥速度を速める。
【００１１】
　（ホ）．　拡散用載せ板上または集束用載せ板上において、被乾燥物の近似渦巻き条材状の条材状肉幅の内部を切り開いてできる切り開き空間を大きくすることにより、この広い切り開き空間に臨む被乾燥物の近似渦巻き条材状の新たな両露出面からの蒸発速度を速めて、被乾燥物の乾燥性能を更に向上する。
【００１２】
　（ヌ）．　被乾燥物は、拡散用載せ板上または集束用載せ板上のほぼ全面に亙って、ほぼ均等ないし近似した高さに整えることにより、ムラ無くほぼ均等に乾燥できるうえ、被乾燥物の上面上のムダ空間を小さくできる分だけ、単位容積当たりの被乾燥物の乾燥処理量を増大させる。
【００１３】
　（ル）．　被乾燥物の押出し速度が速くなり過ぎないようにして、被乾燥物の飛び散りや圧し固めを無くして、被乾燥物を全体に亙って均質に能率よく乾燥させる。
　（ワ）．　回転中心に近い側の収束操作羽根が被乾燥物を速やかに押し込むことにより、被乾燥物を全体に亙って均質に能率よく乾燥させる。
【００１４】
　（カ）．　被乾燥物は、拡散用載せ板または集束用載せ板からの固体の伝導熱と空気の対流熱とにより効率よく加熱することにより、乾燥速度を速くする。
　（ヨ）．　被乾燥物の各部を、拡散用載せ板または集束用載せ板上で、遠赤外線発生層からの固体の伝導熱と空気の対流熱とに加えて、固体内への浸透性の高い遠赤外線熱によっても強力に加熱することにより、この被乾燥物の乾燥能力を一層高める。
【００１５】
　（タ）．　拡散用載せ板または集束用載せ板の下面の遠赤外線発生層から放射される遠赤外線により、このすぐ下側に位置する集束用載せ板または拡散用載せ板上で集束移動または拡散移動させられて行く被乾燥物の各部を、その内部深くに亙って強力に加熱して、この被乾燥物の乾燥速度を更に向上させる。
【００１６】
　（ネ）．　乾燥用載せ板上のほぼ全面に広がって拡散移動される被乾燥物も、収束用載せ板上のほぼ全面に広がって収束移動される被乾燥物(５)も、求心状または放射状にほぼ均等に流れる乾燥用空気とほぼ均等に接触させることにより、均等に速やかに能率よく乾燥していく。
【００１７】
　（ナ）．　乾燥用空気は低湿度領域内にある状態では、よく乾燥していて乾燥能力が充分に高い状態になっている性質を利用して、空気加熱器を停止させるか加熱温度を低下させるかすることにより、乾燥室容器内での乾燥性能は充分高く保持しながらも、空気加熱用電力の消費を少なくして、省エネルギーに寄与する。
【００１８】
　（ム）．　被乾燥物に対して温風の接触効率(乾燥効率)を高める事、同じ被乾燥物を自動で何度も繰り返して乾燥処理する事、および、１回当たりの処理量を多くできる事。
　（ウ）．　投入される被乾燥物（生ゴミ）が高含水のものであっても、スムーズな搬送が可能になるとともに、被乾燥物が団塊状になりにくくする。
【００１９】
　（ノ）．　貯留容器に投入する乾燥すべき生ゴミを細断することにより、該生ゴミの表面積を大きくして乾燥させ易くするとともに、貯留容器内で高含水の生ゴミと乾燥済み被乾燥物とを混合させ易くする。
【００２０】
　（オ）．　棚板上において被乾燥物を温風供給装置からの温風と各棚板の面状発熱体との両方で上下から加熱することにより、乾燥効率（乾燥時間）を大幅に向上させる。
【課題を解決するための手段】
【００２１】
　本発明の含水物質の乾燥装置は、上記課題を達成するために、次のように構成したことを特徴とする。
【００２２】
　　○　請求項１の発明．　図１・図３・図４・図８・図９参照．
　図１は含水物質の乾燥装置の縦断正面図である。図３は図１のIII線断面図。図４は図３における乾燥作動状態を示す平面図であって、拡散用載せ板(８)上で被乾燥物(５)を近似渦巻き条材状(20)に形成しながら拡散移動させていく状態を示す。図８は図１のVIII−VIII線断面図。図９は図８における乾燥作動状態を示す平面図であって、集束用載せ板(11)上で被乾燥物(５)を近似渦巻き条材状(21)に形成しながら集束移動させていく状態を示す。
【００２３】
　含水物質の乾燥装置は、縦型の乾燥室容器(１)、遠心方向拡散移送装置(２)、求心方向集束移送装置(３)、および移送駆動装置(４)を備える。この縦型の乾燥室容器(１)内に遠心方向拡散移送装置(２)と求心方向集束移送装置(３)とを、互いに上下に間隔を空けて同心状に設ける。前記乾燥室容器(１)は、容器上部に被乾燥物(５)の投入口(６)を設け、容器下部に被乾燥物(５)の排出口(７)を設ける。
【００２４】
　前記遠心方向拡散移送装置(２)は、被乾燥物(５)を載せる拡散用載せ板(８)と、被乾燥物(５)を拡散用載せ板(８)上でその板中央部から板周辺部へ拡散移動させて行く拡散操作手段(９)と、被乾燥物(５)を拡散用載せ板(８)の外周部から落下させるための外周部落下口(10)とを備える。この拡散用載せ板(８)と拡散操作手段(９)とのうちの、いずれか一方を乾燥室容器(１)に固定するのに対して、その他方を前記移送駆動装置(４)で水平方向に旋回駆動可能に構成する。
【００２５】
　これにより、拡散用載せ板(８)上で、その板中央部に上から落下してきた被乾燥物(５)を受け取って、この被乾燥物(５)をその板中央部から板周辺部に向かって拡散操作手段(９)で拡散移動させて行って、外周部落下口(10)から落下させて行くように構成する。
【００２６】
　前記求心方向集束移送装置(３)は、被乾燥物(５)を載せる集束用載せ板(11)と、被乾燥物(５)を集束用載せ板(11)上でその板周辺部から板中央部へ集束移動させて行く集束操作手段(12)と、乾燥物(５)を集束用載せ板(11)の板中央部から落下させるための中央部落下口(13)とを備える。この集束用載せ板(11)と集束操作手段(12)とのうちの、いずれか一方を乾燥室容器(１)に固定するのに対して、その他方を前記移送駆動装置(４)で水平方向に旋回駆動可能に構成する。
【００２７】
　これにより、集束用載せ板(11)上で、その板周辺部に上から落下してきた被乾燥物(５)を受け取って、この被乾燥物(５)をその板周辺部から板中央部に向かって集束操作手段(12)で集束移動させて行って、中央部落下口(13)から落下させて行くように構成した、　ことを特徴とする。
【００２８】
　○　請求項２の発明．　図１・図３・図４・図８・図９参照．
　この請求項２の発明は、上記請求項１の発明において、次の特徴構成を追加したことを特徴とする。
【００２９】
　前記遠心方向拡散移送装置(２)の拡散操作手段(９)は、複数枚の拡散操作羽根(14)…と、これらの拡散操作羽根(14)…を支持する拡散羽根支持具(15)とを備える。これら複数枚の拡散操作羽根(14)…は互いに、拡散操作手段(９)と前記拡散用載せ板(８)との相対回転の回転周方向および回転半径方向へ順にずらせて配置する。
【００３０】
　これにより、被乾燥物(５)は拡散用載せ板(８)上でその板中央部から板周辺部に向かって、各拡散操作羽根(14)…で遠心方向へ順に押し出されて行くことにより、近似渦巻き条材状(20)に形成されながら拡散移動させられて行って、外周部落下口(10)から落下して行くように構成する。
【００３１】
　前記求心方向集束移送装置(３)の集束操作手段(12)は、複数枚の集束操作羽根(16)…と、これらの集束操作羽根(16)…を支持する集束羽根支持具(17)とを備える。これら複数枚の集束操作羽根(16)…は互いに、集束操作手段(12)と前記集束用載せ板(11)との相対回転の回転周方向および回転半径方向に順にずらせて配置する。
【００３２】
　これにより、被乾燥物(５)は集束用載せ板(11)上でその板周辺部から板中央部に向かって、各集束操作羽根(16)…で求心側へ順に押し込まれて行くことにより、近似渦巻き条材状(21)に形成されながら集束移動させられて行って、中央部落下口(13)から落下して行くように構成した、　ことを特徴とする。
【００３３】
　　○　請求項３の発明．　図１・図３参照．
　この請求項３の発明は、上記請求項２の発明において、次の特徴構成を追加したことを特徴とする。
【００３４】
　前記遠心方向拡散移送装置(２)の拡散操作手段(９)の拡散羽根支持具(15)は、拡散操作手段(９)と前記拡散用載せ板(８)との相対回転の回転中心部から放射方向にのびる２本以上の拡散羽根支持腕(18)…同士を一体に連結したものから成る。この２本以上の各拡散羽根支持腕(18)…の腕長さ方向の複数箇所にそれぞれ前記各拡散操作羽根(14)…を固定する。各拡散羽根支持腕(18)…同士間では各拡散操作羽根(14)…を固定する各腕長さ位置を互いに順にずらせていくように構成する。
【００３５】
　前記求心方向集束移送装置(３)の集束操作手段(12)の集束羽根支持具(17)は、集束操作手段(12)と前記集束用載せ板(11)との相対回転の回転中心部から放射方向にのびる２本以上の集束羽根支持腕(19)…同士を一体に連結したものから成る。この２本以上の各集束羽根支持腕(19)…の腕長さ方向の複数箇所にそれぞれ前記各集束操作羽根(16)…を固定する。各集束羽根支持腕(19)…同士間では各集束操作羽根(16)…を固定する各腕長さ位置を互いに順にずらせていくように構成した、　ことを特徴とする。
【００３６】
　　○　請求項４の発明．　図１・図３−図７参照．
　図１は含水物質の乾燥装置の縦断正面図である。図３は図１のIII線断面図。図４は図３における乾燥作動状態を示す平面図であって、拡散用載せ板(８)上で被乾燥物(５)を近似渦巻き条材状(20)に形成しながら拡散移動させていく状態を示す。図５は図４のＶ部拡大図である。図６（Ａ）は図４のＡ−Ａ線断面図。図６（Ｂ）は図４のＢ−Ｂ線断面図。図６（Ｃ）は図４のＣ−Ｃ線断面図。図６（Ｄ）は図４のＤ−Ｄ線断面図。図７は図４の乾燥作動状態を示す平面図の展開図である。
【００３７】
　この請求項４の発明は、上記請求項２または３の発明において、次の特徴構成を追加したことを特徴とする。
【００３８】
　前記遠心方向拡散移送装置(２)の拡散用載せ板(８)上で、被乾燥物(５)が近似渦巻き条材状(20)に形成されながら拡散移動させられて行く途上において、前記複数枚の拡散操作羽根(14)…の少なくとも一部は、前記被乾燥物(５)の近似渦巻き条材状(20)の条材状肉幅(22)のうちの一部の肉幅部分(23)を残して、残部の肉幅部分(24)のみを切り分けて遠心側へ押し出していくように配置した、　ことを特徴とする。
【００３９】
　　○　請求項５の発明．　図１・図３−図７参照．
　この請求項５の発明は、上記請求項４の発明において、次の特徴構成を追加したことを特徴とする。
【００４０】
　前記拡散用載せ板(８)上で、前記近似渦巻き条材状(20)の条材状肉幅(22)のうちの残部の肉幅部分(24)のみを遠心側へ押し出して行く拡散操作羽根(14)は、これを複数枚断続させて排列する。
【００４１】
　この排列された複数枚の拡散操作羽根(14)…のうちの、拡散用載せ板(８)の板中央部側に位置する拡散操作羽根(14)で遠心側へ押し出された近似渦巻き条材状(20)の前記残部の肉幅部分(24)が、これよりも板周辺部側に位置する拡散操作羽根(14)で遠心側へは押し出されずに置き残された近似渦巻き条材状(20)の前記一部の肉幅部分(23)に接当して合体するように構成した、　ことを特徴とする。
【００４２】
　　○　請求項６の発明．　図１・図３−図７参照．
　この請求項６の発明は、上記請求項４または５の発明において、次の特徴構成を追加したことを特徴とする。
【００４３】
　前記遠心方向拡散移送装置(２)の拡散操作手段(９)の羽根支持具(15)は、拡散操作手段(９)と前記拡散用載せ板(８)との相対回転の回転中心部から放射方向にのびる４本以上の偶数本の拡散羽根支持腕(18)…同士を一体に連結したものから成る。この４本以上の偶数本の各拡散羽根支持腕(18)…の腕長さ方向の複数箇所にそれぞれ前記拡散操作羽根(14)…を固定する。各拡散羽根支持腕(18)…同士間では各拡散操作羽根(14)を固定する各腕長さ位置を互いに順にずらせていくように構成した、　ことを特徴とする。
【００４４】
　　○　請求項７の発明．　図１・図８−図１２参照．
　図１は含水物質の乾燥装置の縦断正面図である。図８は図１のVIII−VIII線断面図。図９は図８における乾燥作動状態を示す平面図であって、集束用載せ板(11)上で被乾燥物(５)を近似渦巻き条材状(21)に形成しながら集束移動させていく状態を示す。図１０は図９のＸ部拡大図。図１１（Ａ）は図９のＡ−Ａ線断面図。図１１（Ｂ）は図９のＢ−Ｂ線断面図。図１１（Ｃ）は図９のＣ−Ｃ線断面図。図１１（Ｄ）は図９のＤ−Ｄ線断面図。図１２は図９の乾燥作動状態を示す平面図の展開図である。
【００４５】
　この請求項７の発明は、上記請求項２・３・４・５または６の発明において、次の特徴構成を追加したことを特徴とする。
【００４６】
　前記求心方向集束移送装置(３)の集束用載せ板(11)上で、被乾燥物(５)が近似渦巻き条材状(21)に形成されながら集束移動させられて行く途上において、前記複数枚の集束操作羽根(16)…の少なくとも一部は、前記被乾燥物(５)の近似渦巻き条材状(21)の条材状肉幅(25)のうちの一部の肉幅部分(26)を置き残して、残部の肉幅部分(27)のみを切り分けて求心側へ押し込んでいくように配置した、　ことを特徴とする。
【００４７】
　　○　請求項８の発明．　図１・図８−図１２参照．
　この請求項８の発明は、上記請求項７の発明において、次の特徴構成を追加したことを特徴とする。
【００４８】
　前記集束用載せ板(11)上で、前記近似渦巻き条材状(21)の条材状肉幅(25)のうちの残部の肉幅部分(27)のみを求心側へ押し出して行く集束操作羽根(16)は、これを複数枚断続させて排列する。この排列された複数枚の拡散操作羽根(16)…のうちの、集束用載せ板(11)の板周辺部側に位置する集束操作羽根(16)で求心側へ押し込まれた近似渦巻き条材状(21)の前記残部の肉幅部分(27)が、これよりも板中央部側に位置する集束操作羽根(16)で求心側へは押し出されずに置き残された近似渦巻き条材状(21)の前記一部の肉幅部分(26)に接当して合体するように構成した、　ことを特徴とする。
【００４９】
　　○　請求項９の発明．　図１・図８−図１２参照．
　この請求項９の発明は、上記請求項７または８の発明において、次の特徴構成を追加したことを特徴とする。
【００５０】
　前記求心方向拡散移送装置(３)の集束操作手段(12)の集束羽根支持具(17)は、集束操作手段(12)と前記集束用載せ板(11)との相対回転の回転中心部から放射方向にのびる４本以上の偶数本の集束羽根支持腕(19)…同士を一体に連結したものから成る。この４本以上の偶数本の各集束羽根支持腕(19)…の腕長さ方向の複数箇所にそれぞれ前記集束操作羽根(16)…を固定しする。集束羽根支持腕(19)…同士間では各集束操作羽根(16)を固定する各腕長さ位置を互いに順にずらせていくように構成した、　ことを特徴とする。
【００５１】
　　○　請求項１０の発明．　図３・図１３参照．
　図３は図１のIII線断面図。図１３は図３のXIII部の拡大図である。
　この請求項１０の発明は、上記請求項２−９の発明のうちのどれか１つの発明において、次の特徴構成を追加したことを特徴とする。
【００５２】
　前記遠心方向拡散移送装置(２)の拡散操作手段(９)の複数枚の拡散操作羽根(14)…のうち、拡散操作手段(９)と前記拡散用載せ板(８)との相対回転の回転中心に近いものから遠いものに移行するにつれて、各拡散操作羽根(14)…の遠心方向への押出し寸法(31)を次第に小さくなる寸法に設定するとともに、各拡散操作羽根(14)…の回転円の接線に対する押出し用傾斜角度(32)を次第に小さくなる角度に設定した、　ことを特徴とする。
【００５３】
　　○　請求項１１の発明．　図８・図１４参照．
　図８は図１のVIII−VIII線断面図。図１４は図８のXIV部の拡大図である。
　この請求項１１の発明は、上記請求項２−１０の発明のうちのどれか１つの発明において、次の特徴構成を追加したことを特徴とする。
【００５４】
　前記求心方向集束移送装置(３)の集束操作手段(12)の複数枚の集束操作羽根(16)…のうち、集束操作手段(12)と前記集束用載せ板(11)との相対回転の回転中心から遠いものから近いものに移行するにつれて、各集束操作羽根(16)…の求心方向への押込み寸法(33)を次第に大きくなる寸法に設定するとともに、各収束操作羽根(16)…の回転円の接線に対する押込み用傾斜角度(34)を次第に大きくなる角度に設定した、　ことを特徴とする。
【００５５】
　　○　請求項１２の発明．　図１５、図１７、図１９参照．
　図１５（Ａ）は図１の各拡散用載せ板(８)の縦断正面図。図１５（Ｂ）は図１５（Ａ）の底面図。図１７は図１の拡散用載せ板(８)の縦断正面図。図１９は図１の拡散用載せ板(８)の縦断正面図である。
　この請求項１２の発明は、上記請求項１−１１の発明のうちのどれか１つの発明において、次の特徴構成を追加したことを特徴とする。
【００５６】
　前記遠心方向拡散移送装置(２)の拡散用載せ板(８)を加熱する発熱体(36)をこの拡散用載せ板(８)に設ける。この拡散用載せ板(８)上で拡散操作手段(９)により拡散移動させられて行く前記被乾燥物(５)の各部が、拡散用載せ板(８)との接触部を通じて、その発熱体(36)から発する熱で加熱されるように構成した、　ことを特徴とする。
【００５７】
　　○　請求項１３の発明．　図１５、図１７、図１９参照．
　この請求項１３の発明は、上記請求項１２の発明において、次の特徴構成を追加したことを特徴とする。
【００５８】
　前記遠心方向拡散移送装置(２)の拡散用載せ板(８)の上面に遠赤外線発生層(37)を設ける。この拡散用載せ板(８)に設けた前記発熱体(36)から発する熱がこの遠赤外線発生層(37)で遠赤外線に変換され、この遠赤外線によりこの拡散用載せ板(８)上で拡散操作手段(９)により拡散移動させられていく前記被乾燥物(５)の各部が加熱されるように構成した、　ことを特徴とする。
【００５９】
　　○　請求項１４の発明．　図１５、図１７、図１９参照．
　この請求項１４の発明は、上記請求項１２または１３の発明において、次の特徴構成を追加したことを特徴とする。
【００６０】
　前記遠心方向拡散移送装置(２)の拡散用載せ板(８)の下面に遠赤外線発生層(38)を設ける。この拡散用載せ板(８)に設けた前記発熱体(36)から発する熱がこの遠赤外線発生層(38)で遠赤外線に変換され、この遠赤外線によりこの拡散用載せ板(８)のすぐ下側に位置する前記求心方向集束移送装置(３)の集束用載せ板(11)上で集束操作手段(12)により集束移動させられていく前記被乾燥物(５)の各部が加熱されるように構成した、　ことを特徴とする。
【００６１】
　　○　請求項１５の発明．　図１６、図１８、図１９参照．
　図１６（Ａ）は図１の各集束用載せ板(11)の縦断正面図。図１６（Ｂ）は図１６（Ａ）の底面図。図１８は図１の各集束用載せ板(11)の縦断正面図であって、実施形態１の図１６（Ａ）に相当する図である。図１９は図１の集束用載せ板(11)の縦断正面図である。
　この請求項１５の発明は、上記請求項１−１４の発明のうちのどれか１つの発明において、次の特徴構成を追加したことを特徴とする。
【００６２】
　前記求心方向集束移送装置(３)の集束用載せ板(11)を加熱する発熱体(40)をこの集束用載せ板(11)に設ける。この集束用載せ板(11)上で集束操作手段(12)により集束移動させられて行く前記被乾燥物(５)の各部が、収束用載せ板(11)との接触部を通じて、その発熱体(40)から発する熱で加熱されるように構成した、　ことを特徴とする。
【００６３】
　　○　請求項１６の発明．　図１６、図１８、図１９参照．
　この請求項１６の発明は、上記請求項１５の発明において、次の特徴構成を追加したことを特徴とする。
【００６４】
　前記求心方向集束移送装置(３)の集束用載せ板(11)の上面に遠赤外線発生層(41)を設ける。この集束用載せ板(11)に設けた前記発熱体(40)から発する熱がこの赤外線発生層(41)で遠赤外線に変換され、この遠赤外線によりこの集束用載せ板(11)上で集束操作手段(12)により集束移動させられていく前記被乾燥物(５)の各部が加熱されるように構成した、　ことを特徴とする。
【００６５】
　　○　請求項１７の発明．　図１６、図１８、図１９参照．
　この請求項１７の発明は、上記請求項１５または１６の発明において、次の特徴構成を追加したことを特徴とする。
【００６６】
　前記求心方向集束移送装置(３)の集束用載せ板(11)の下面に遠赤外線発生層(42)を設ける。この集束用載せ板(11)に設けた前記発熱体(40)から発する熱がこの赤外線発生層(42)で遠赤外線に変換され、この遠赤外線によりこの集束用載せ板(11)のすぐ下側に位置する前記遠心方向拡散移送装置(２)の拡散用載せ板(８)上で拡散操作手段(９)により拡散移動させられていく前記被乾燥物(５)の各部が加熱されるように構成した、　ことを特徴とする。
【００６７】
　　○　請求項１８の発明．　図１参照．
　図１は含水物質の乾燥装置の縦断正面図である。
　この請求項１８の発明は、上記請求項１−１７の発明のうちのどれか１つの発明において、次の特徴構成を追加したことを特徴とする。
【００６８】
　前記乾燥室容器(１)に空気除湿器(44)・空気加熱器(45)・および送風器(46)を空気循環可能に連通させる。この送風器(46)で送風される乾燥用空気は、まず空気除湿器(44)で除湿したのち、空気加熱器(45)で温度上昇させて相対湿度を低下させておく。
【００６９】
　次いで乾燥室容器(１)内で遠心方向拡散移送装置(２)および求心方向集束移送装置(３)を通過する段階で、拡散用載せ板(８)上で拡散操作手段(９)により拡散移動させられて行く被乾燥物(５)と、集束用載せ板(11)上で集束操作手段(12)により集束移動させられて行く被乾燥物(５)とから水分を吸収して、これらの被乾燥物(５)(５)を乾燥させて行く。　そして再び空気除湿器(39)で除湿したのち、空気加熱器(40)に戻して温度上昇させてから、乾燥室容器(１)に循環させるように構成した、　ことを特徴とする。
【００７０】
　　○　請求項１９の発明．　図１参照．
　この請求項１９の発明は、上記請求項１８の発明において、次の特徴構成を追加したことを特徴とする。
【００７１】
　前記乾燥室容器(１)内の遠心方向拡散移送装置(２)で拡散移動させられていく被乾燥物(５)および求心方向集束移送装置(３)で集束移動させられていく被乾燥物(５)の水分を吸収した乾燥用空気の湿度を検出する空気湿度センサ(47)を、乾燥室容器(１)内の乾燥用空気流路の下流側部分から前記空気除湿器(44)に至るまでの間に設ける。
【００７２】
　この空気湿度センサ(47)は、その湿度検出値が設定湿度値よりも高い高湿度領域内にあるときには、前記空気加熱器(45)を加熱作動させるのに対して、その湿度検出値が設定湿度値よりも低い低湿度領域内にあるときには、前記空気加熱器(45)を加熱停止させるように構成した、　ことを特徴とする。
【００７３】
　　○　請求項２０の発明．　図１参照．
　この請求項２０の発明は、上記請求項１８の発明において、次の特徴構成を追加したことを特徴とする。
【００７４】
　前記乾燥室容器(１)内の遠心方向拡散移送装置(２)で拡散移動させられていく被乾燥物(５)および求心方向集束移送装置(３)で集束移動させられていく被乾燥物(５)の水分を吸収した乾燥用空気の湿度を検出する空気湿度センサ(47)を、乾燥室容器(１)内の乾燥用空気流路の下流側部分から前記空気除湿器(44)に至るまでの間に設ける。
【００７５】
　この空気湿度センサ(47)は、その湿度検出値が高い高湿度領域の場合と比べて、その湿度検出値が低い低湿度領域の場合の方が、前記空気加熱器(45)の加熱温度を低下させるように構成した、　ことを特徴とする。
【００７６】
　　○　請求項２１の発明．　図２０−図２３参照．
　図２０は生ゴミ乾燥装置の縦断正面図である。図２１は図２０の生ゴミ乾燥装置の一部拡大図。図２２は図２０のXXII−XXII線拡大断面図。図２３は図２０のXXIII−XXIII線拡大断面図である。
【００７７】
　上部に被乾燥物の投入口(112)を設け、下部に被乾燥物の取出口(113)を設け、内部に上下多段に配置されていて前記投入口(112)から投入された被乾燥物を順次受け取り得る複数段の棚板(114,114・・)を設けた乾燥容器(101)と、前記各棚板(114,114・・)上の被乾燥物をそれぞれ下段側に送り出す送出装置(102)と、前記乾燥容器(101)内に温風を供給する温風供給装置(104)と、前記取出口(113)から取り出される被乾燥物を前記乾燥容器(101)の上部から該乾燥容器(101)内に戻す被乾燥物の搬送装置(103)とを備えるとともに、前記搬送装置(103)の途中に被乾燥物を排出するための扉(137)付きの排出口(136)を設けたことを特徴とする生ゴミ乾燥装置。
【００７８】
　　○　請求項２２の発明．　図２０参照．
　この請求項２２の発明は、上記請求項２１の発明において、次の特徴構成を追加したことを特徴とする。
　搬送装置(103)の途中に被乾燥物を一時的に貯留し得る貯留容器(105)を設ける。該貯留容器(105)に生ゴミ投入口(151)を設けた、　ことを特徴とする生ゴミ乾燥装置。
【００７９】
　　○　請求項２３の発明．　図２０参照．
　この請求項２３の発明は、上記発明２２の発明において、次の特徴構成を追加したことを特徴とする。
　貯留容器(105)の生ゴミ投入口(151)に、生ゴミを細断する細断装置(163)付きの生ゴミ投入容器(106)を接続させた、　ことを特徴とする生ゴミ乾燥装置。
【００８０】
　　○　請求項２４の発明．　図２１参照．
　この請求項２４の発明は、上記請求項２１・２２・または２３の発明において、次の特徴構成を追加したことを特徴とする。
　各棚板(114,114・・)の上面部に面状発熱体(117)を設けた、　ことを特徴とする生ゴミ乾燥装置。
【発明の効果】
【００８１】
　本発明の含水物質の乾燥装置は、つぎの効果を奏する。
　　○　請求項１の発明．　図１・図３・図４・図８・図９参照．
　［　効果イ．　被乾燥物(５)は、拡散用載せ板(８)上および収束用載せ板(11)上の両方のほぼ全面に亙ってほぐされながら広く展開させられて行くので、ほぐされて比表面積が大きくなる事と、広く展開されて表面積が大きくなる事との相乗効果により、均質にしかも速やかに乾燥させていくことができる。　］
【００８２】
　（１）．投入口(６)から乾燥室容器(１)内に供給された被乾燥物(５)は、遠心方向拡散移送装置(２)においては、拡散用載せ板(８)に載せられた状態で、その板中央部から板周辺部に向かって拡散操作手段(９)で拡散移動させられて行く。
【００８３】
　このため、この被乾燥物(５)は、拡散用載せ板(８)上のほぼ全面に亙ってほぐされながら広く展開させられて行くので、ほぐされて比表面積が大きくなる事と、広く展開されて表面積が大きくなる事との相乗効果により、均質にしかも速やかに乾燥させていくことができる。
【００８４】
　（２）．また、この被乾燥物(５)は、求心方向収束移送装置(３)においては、収束用載せ板(11)上に載せられた状態で、その板周辺部から板中央部に向かって収束操作手段(12)で収束移動させられて行く。
【００８５】
　このため、被乾燥物(５)は、収束用載せ板(11)上のほぼ全面に亙ってほぐされながら広く展開させられて行くので、ほぐされて比表面積が大きくなる事と、広く展開されて表面積が大きくなる事との相乗効果により、均質にしかも速やかに乾燥させていくことができる。
【００８６】
　（３）．このように、被乾燥物(５)は、拡散用載せ板(８)上および収束用載せ板(11)上の両方のほぼ全面に亙ってほぐされながら広く展開させられて行くので、ほぐされて比表面積が大きくなる事と、広く展開されて表面積が大きくなる事との相乗効果により、均質にしかも速やかに乾燥させていくことができる。
【００８７】
　　○　請求項２の発明．　図１・図３・図４・図８・図９参照．
　この請求項２の発明は、上記請求項１の発明の［効果イ］に加えて、つぎの効果を奏する。
　［　効果ロ．　被乾燥物(５)の上記両近似渦巻き条材状(20)(21)は共に、その広い水分蒸発表面積からの乾燥速度も、肉厚の浅い内部中心部分からの乾燥速度も共に速くなるので、その全体が均質に速やかに乾燥されて行き、乾燥性能がさらに高められる。　］
【００８８】
　（１）．前記被乾燥物(５)は拡散用載せ板(８)上でその板中央部から板周辺部に向かって、各拡散操作羽根(14)…で遠心方向へ順に押し出されて行くことにより、近似渦巻き条材状(20)に形成されながら拡散移動させられて行く。
【００８９】
　このため、被乾燥物(５)は、近似渦巻き条材状(20)の上面に加えてその内周面および外周面からも水分が蒸発する分だけ、水分蒸発表面積が広くなって、乾燥速度が速くなる。そのうえ、被乾燥物(５)の近似渦巻き条材状(20)の渦巻き直交断面の肉厚の浅い内部中心から表面までの水分移動距離が短くなる分だけ、その肉厚の浅い内部中心部分からの乾燥速度も速くなる。
【００９０】
　これにより、被乾燥物(５)の近似渦巻き条材状(20)は、その広い水分蒸発表面積からの乾燥速度も、肉厚の浅い内部中心部分からの乾燥速度も共に速くなるので、その全体が均質に速やかに乾燥されて行き、乾燥性能がさらに高められる。
【００９１】
　（２）．また、被乾燥物(５)は集束用載せ板(11)上でその板周辺部から板中央部に向かって、各集束操作羽根(16)…で求心側へ順に押し込まれて行くことにより、近似渦巻き条材状(21)に形成されながら集束移動させられて行く。
【００９２】
　このため、被乾燥物(５)は、近似渦巻き条材状(21)の上面に加えてその内周面および外周面からも水分が蒸発する分だけ、水分蒸発表面積が広くなって、乾燥速度が速くなる。そのうえ、被乾燥物(５)の近似渦巻き条材状(21)の渦巻き直交断面の肉厚の浅い内部中心から表面までの水分移動距離が短くなる分だけ、その肉厚の浅い内部中心部分からの乾燥速度も速くなる。
【００９３】
　これにより、被乾燥物(５)の近似渦巻き条材状(21)は、その広い水分蒸発表面積からの乾燥速度も、肉厚の浅い内部中心部分からの乾燥速度も共に速くなるので、その全体が均質に速やかに乾燥されて行き、乾燥性能がさらに高められる。
【００９４】
　（３）．以上により、被乾燥物(５)の上記両近似渦巻き条材状(20)(21)は共に、その広い水分蒸発表面積からの乾燥速度も、肉厚の浅い内部中心部分からの乾燥速度も共に速くなるので、その全体が均質に速やかに乾燥されて行き、乾燥性能がさらに高められる。
【００９５】
　　○　請求項３の発明．　図１・図３・図１７参照．
　この請求項３の発明は、上記請求項１の発明の［効果イ］および請求項２の発明の［効果ロ］に加えて、つぎの効果を奏する。
【００９６】
　［　効果ハ．　拡散羽根支持具(15)も収束羽根支持具(17)も共に、放射方向にのびる２本以上の拡散羽根支持腕(18)…同士または収束羽根支持腕(19)…同士を一体に形成したものから成るので、これらを円板で形成する場合と比べて、軽量で安価に製造することができる。　］
【００９７】
　（１）．前記拡散羽根支持具(15)は、放射方向にのびる２本以上の拡散羽根支持腕(18)…同士を一体に形成したものから成るので、これを円板で形成する場合と比べて、軽量で安価に製造することができる。
【００９８】
　（２）．また、前記収束羽根支持具(17)は、放射方向にのびる２本以上の収束羽根支持腕(19)…同士を一体に形成したものから成るので、これを円板で形成する場合と比べて、軽量で安価に製造することができる。
【００９９】
　（３）．このように、拡散羽根支持具(15)も収束羽根支持具(17)も共に、放射方向にのびる２本以上の拡散羽根支持腕(18)…同士または収束羽根支持腕(19)…同士を一体に形成したものから成るので、これらを円板で形成する場合と比べて、軽量で安価に製造することができる。
【０１００】
　　○　請求項４の発明．　図１・図３−図１７参照．
　この請求項４の発明は、上記請求項１の発明の［効果イ］、および請求項２の発明の［効果ロ］に加えて、つぎの効果を奏する。
【０１０１】
　［　効果ニ．　近似渦巻き条材状(20)の条材状肉幅(22)のうちの乾燥されにくくて含水量の多い内部が、切り分けられて互いに離れていく内外両周面で新たに露出され、この新たな露出面から水分が速やかに蒸発されていくので、被乾燥物(５)の乾燥速度が速められる。　］
【０１０２】
　前記被乾燥物(５)の近似渦巻き条材状(20)は、その条材状肉幅(22)のうちの一部の肉幅部分(23)を残して、残部の肉幅部分(24)のみが切り分けられて遠心側へ押し出される。
　このため、その条材状肉幅(22)のうちの乾燥されにくくて含水量の多い内部が、上記の切り分けられて互いに離れていく内外両周面で新たに露出され、この新たな露出面から水分が速やかに蒸発されていくので、被乾燥物(５)の乾燥速度が速められる。
【０１０３】
　　○　請求項５の発明．　図３−図７参照．
　この請求項５の発明は、上記請求項１の発明の［効果イ］、請求項２の発明の［効果ロ］、および請求項４の発明の［効果ニ］に加えて、つぎの効果を奏する。
【０１０４】
　［　効果ホ．　近似渦巻き条材状(20)の条材状肉幅(22)の残部の肉幅部分(24)の押出し寸法が大きくなる分だけ、この残部の肉幅部分(24)の新たな露出面が臨む空間の幅(28)が広くなり、この広い空間(28)に臨む新たな両露出面からの蒸発速度が速められて、被乾燥物(５)の乾燥性能が更に向上する。　］
【０１０５】
　前記近似渦巻き条材状(20)の条材状肉幅(22)のうちの遠心側へ押し出された残部の肉幅部分(24)が、これの外周側に位置して遠心側へは押し出されずに置き残された前記一部の肉幅部分(23)に接当して合体される。
【０１０６】
　このため、その残部の肉幅部分(24)の押出し寸法が大きくなる分だけ、この残部の肉幅部分(24)の新たな露出面が臨む空間(28)の幅が広くなり、この広い空間(28)に臨む新たな両露出面からの蒸発速度が速められて、被乾燥物(５)の乾燥性能が更に向上する。
【０１０７】
　　○　請求項６の発明．　図３−図７参照．
　この請求項６の発明は、上記請求項１の発明の［効果イ］、請求項２の発明の［効果ロ］、および請求項４の発明の［効果ニ］に加えて、つぎの効果を奏する。
【０１０８】
　［　効果ヘ．　拡散羽根支持具(15)は、放射方向にのびる４本以上の偶数本の拡散羽根支持腕(18)…同士を一体に形成したものから成るので、これを円板で形成する場合と比べて、軽量で安価に製造することができる。　］
【０１０９】
　前記拡散羽根支持具(15)は、放射方向にのびる４本以上の偶数本の拡散羽根支持腕(18)…同士を一体に形成したものから成るので、これを円板で形成する場合と比べて、軽量で安価に製造することができる。
【０１１０】
　　○　請求項７の発明．　図１・図８−図１２参照．
　この請求項７の発明は、上記請求項１の発明１の［効果イ］、および請求項２の発明１の［効果ロ］に加えて、つぎの効果を奏する。
【０１１１】
　［　効果ト．　条材状肉幅(25)のうちの含水量の多い内部が、切り分けられて互いに離されて行く両面から速やかに蒸発されていくので、被乾燥物(５)の乾燥速度が速められ、被乾燥物(５)の乾燥性能が更に向上する。　］
【０１１２】
　前記被乾燥物(５)の近似渦巻き条材状(21)は、その条材状肉幅(25)のうちの一部の肉壁部分(26)を残して、残部の肉壁部分(27)のみが切り分けられて、求心側へ押し込まれて行く。
　このため、その条材状肉幅(25)のうちの含水量の多い内部が、上記の切り分けられて互いに離されて行く両面で新たに露出され、この新たな露出面から速やかに蒸発されていくので、被乾燥物(５)の乾燥速度が速められて、乾燥性能が向上する。
【０１１３】
　　○　請求項８の発明．　図８−図１２参照．
　この請求項８の発明は、上記請求項１の発明の［効果イ］、請求項２の発明の［効果ロ］、および請求項７の発明の［効果ト］に加えて、つぎの効果を奏する。
【０１１４】
　［　効果チ．　近似渦巻き条材状(21)の条材状肉幅(25)の残部の肉幅部分(27)の押出し寸法が大きくなる分だけ、この残部の肉幅部分(27)の新たな露出面が臨む空間(29)の幅が広くなり、この広い空間(29)に臨む新たな両露出面からの蒸発速度が速められて、被乾燥物(５)の乾燥性能が更に向上する。　］
【０１１５】
　上記近似渦巻き条材状(21)の条材状肉幅(25)のうちの、求心側へ押し込まれた前記残部の肉幅部分(27)が、これの内側に位置して求心側へは押し込まれずに置き残された前記一部の肉幅部分(26)に接当して合体される。
【０１１６】
　このため、前記残部の肉幅部分(27)の押込み寸法が大きくなる分だけ、この残部の肉幅部分(27)の新たな露出面が臨む空間(29)の幅が広くなり、この広い空間(29)に臨む新たな両露出面からの蒸発速度が速められて、被乾燥物(５)の乾燥性能が更に向上する。
【０１１７】
　　○　請求項９の発明．　図１・図８−図１２参照．
　この請求項９の発明は、上記請求項１の発明の［効果イ］、請求項２の発明の［効果ロ］、および請求項７の発明の［効果ト］に加えて、つぎの効果を奏する。
【０１１８】
　［　効果リ．　拡散羽根支持具(17)は、放射方向にのびる４本以上の偶数本の拡散羽根支持腕(19)…同士を一体に形成したものから成るので、これを円板で形成する場合と比べて、軽量で安価に製造することができる。　］
【０１１９】
　前記拡散羽根支持具(17)は、放射方向にのびる４本以上の偶数本の拡散羽根支持腕(19)…同士を一体に形成したものから成るので、これを円板で形成する場合と比べて、軽量で安価に製造することができる。
【０１２０】
　　○　請求項１０の発明．　図３・図１３参照．
　この請求項１０の発明は、上記請求項１の発明の［効果イ］、および請求項２の発明の［効果ロ］に加えて、つぎの効果を奏する。
【０１２１】
　［　効果ヌ．　被乾燥物(５)は、拡散用載せ板(８)上のほぼ全面に亙って、ほぼ均等ないし近似した高さに整えられるため、ムラ無くほぼ均等に乾燥できるうえ、被乾燥物(５)の上面上のムダ空間を小さくできる分だけ、単位容積当たりの被乾燥物(５)の乾燥処理量を増大させることができる。　］
【０１２２】
　拡散用載せ板(８)上で、被乾燥物(５)が各拡散操作羽根(14)…で同量づつ、その板中央部から板周辺部へ向かって順に押し拡げられていく。このとき各拡散操作羽根(14)…が１回転当たりに被乾燥物(５)を遠心側へ送り出す量は、その羽根(14)が被乾燥物(５)を押し出す高さと、その羽根(14)の遠心方向への押出し寸法(31)と、１回転の周長さとを掛け算した積である。
【０１２３】
　各拡散操作羽根(14)…のうち、その回転中心に近い側の羽根(14)と比べてその回転中心から遠い側の羽根(14)は、１回転の周長さが長くなるのに対して、これに反比例させて押出し寸法(31)を小さくすることにより、この両者の積である単位送り出し平面積がほぼ均等ないし近似した平面積となるため、押出し高さもほぼ均等ないし近似した高さになる。
【０１２４】
　これにより、被乾燥物(５)は、拡散用載せ板(８)上のほぼ全面に亙って、ほぼ均等ないし近似した高さに整えられるため、ムラ無くほぼ均等に乾燥できる。そのうえ、被乾燥物(５)の上面上のムダ空間を小さくできる分だけ、単位容積当たりの被乾燥物(５)の乾燥処理量を増大させることができる。
【０１２５】
　［　効果ル．　被乾燥物(５)の押出し速度が速くなり過ぎないようにして、被乾燥物(５)の飛び散りや圧し固めを無くして、被乾燥物(５)を全体に亙って均質に能率よく乾燥させる。　］
【０１２６】
　各拡散操作羽根(14)…のうち、その回転中心に近い側の羽根(14)と比べてその回転中心から遠い側の羽根(14)は、回転の周速度が速くなるのに対して、これに反比例させて押出し寸法(31)を小さくする事と、回転円の接線に対する押出し用傾斜角(32)を次第に小さくなる角度に設定する事との組合せにより、被乾燥物(５)の押出し速度が速くなり過ぎないようにして、被乾燥物(５)の飛び散りや圧し固めを無くして、被乾燥物(５)を全体に亙って均質に能率よく乾燥させることができる。
【０１２７】
　　○　請求項１１の発明．　図８・図１４参照．
　この請求項１１の発明は、上記請求項１の発明の［効果イ］、および請求項２の発明の［効果ロ］に加えて、つぎの効果を奏する。
【０１２８】
　［　効果ヲ．　被乾燥物(５)は、収束用載せ板(11)上のほぼ全面に亙って、ほぼ均等ないし近似した高さに整えられるため、ムラ無くほぼ均等に乾燥できるうえ、被乾燥物(５)の上面上のムダ空間を小さくできる分だけ、単位容積当たりの被乾燥物(５)の乾燥処理量を増大させることができる。　］
【０１２９】
　収束用載せ板(11)上で、被乾燥物(５)が各収束操作羽根(16)…で同量づつ、その板周辺部から板中央部へ向かって順に押し寄せられていく。このとき各収束操作羽根(16)…が１回転当たりに被乾燥物(５)を求心側へ押し込む量は、その羽根(16)が被乾燥物(５)を押し込む高さと、その羽根(16)の求心方向への押込み寸法(33)と、１回転の周長さとを掛け算した積である。
【０１３０】
　各収束操作羽根(16)…のうち、その回転中心から遠い側の羽根(16)と比べてその回転中心に近い側の羽根(16)は、１回転の周長さが短くなるのに対して、これに反比例させて押込み寸法(33)を大きくすることにより、この両者の積である単位押し込み平面積がほぼ均等ないし近似した平面積となるため、押し込み高さもほぼ均等ないし近似した高さになる。
【０１３１】
　これにより、被乾燥物(５)は、収束用載せ板(11)上のほぼ全面に亙って、ほぼ均等ないし近似した高さに整えられるため、ムラ無くほぼ均等に乾燥できる。そのうえ、被乾燥物(５)の上面上のムダ空間を小さくできる分だけ、単位容積当たりの被乾燥物(５)の乾燥処理量を増大させることができる。
【０１３２】
　［　効果ワ．　回転中心に近い側の収束操作羽根(16)は、被乾燥物(５)を速やかに押し込んで、被乾燥物(５)を全体に亙って均質に能率よく乾燥させる。］
【０１３３】
　各収束操作羽根(16)…のうち、その回転中心から遠い側の羽根(16)と比べてその回転中心に近い側の羽根(16)は、回転の周速度が遅くなるのに対して、これに反比例させて押込み寸法(33)を大きくする事と、回転円の接線に対する押込み用傾斜角(34)を次第に大きくなる角度に設定する事との組合せにより、被乾燥物(５)を速やかに押し込んでゆくことができ、被乾燥物(５)を全体に亙って均質に能率よく乾燥させることができる。
【０１３４】
　　○　請求項１２の発明．　図１５、図１７、図１９参照．
　この請求項１２の発明は、上記請求項１の発明１の［効果イ］に加えて、つぎの効果を奏する。
【０１３５】
　［　効果カ．　被乾燥物(５)は、拡散用載せ板(８)からの固体の伝導熱と空気の対流熱とにより効率よく加熱されるため、乾燥速度が速くなる。　］
【０１３６】
　前記拡散用載せ板(８)上で拡散操作手段(９)により拡散移動させられて行く前記被乾燥物(５)の各部が、拡散用載せ板(８)との接触部を通じて、発熱体(36)から発する熱で加熱される。
　このため、この被乾燥物(５)は、拡散用載せ板(８)からの固体の伝導熱と空気の対流熱とにより効率よく加熱されるため、乾燥速度が速くなる。
【０１３７】
　　○　請求項１３の発明．　図１５、図１７、図１９参照．
　この請求項１３の発明は、上記請求項１の発明１の［効果イ］、および請求項１２の発明の［効果カ］に加えて、つぎの効果を奏する。
【０１３８】
　［　効果ヨ．　被乾燥物(５)の各部は、遠赤外線発生層(37)からの固体の伝導熱と空気の対流熱とに加えて、固体内への浸透性の高い遠赤外線熱によっても強力に加熱されるため、この被乾燥物(５)の乾燥能力が一層高められる。　］
【０１３９】
　前記拡散用載せ板(８)の上面の遠赤外線発生層(37)から放射される遠赤外線により、この拡散用載せ板(８)上で拡散操作手段(９)により拡散移動させられて行く前記被乾燥物(５)の各部は、遠赤外線発生層(37)からの固体の伝導熱と空気の対流熱とに加えて、固体内への浸透性の高い遠赤外線熱によっても強力に加熱されるため、この被乾燥物(５)の乾燥能力が一層高められる。
【０１４０】
　　○　請求項１４の発明．　図１５、図１７、図１９参照．
　この請求項１４の発明は、上記請求項１の発明１の［効果イ］、および請求項１２の発明の［効果カ］に加えて、つぎの効果を奏する。
【０１４１】
　［　効果タ．　拡散用載せ板(８)の下面の遠赤外線発生層(38)から放射される遠赤外線により、このすぐ下側に位置する集束用載せ板(11)上で集束移動させられて行く前記被乾燥物(５)の各部が、その内部深くに亙って強力に加熱されるため、この被乾燥物(５)の乾燥速度を更に向上させる。　］
【０１４２】
　拡散用載せ板(８)の下面の遠赤外線発生層(38)から放射される固体内への浸透性の高い遠赤外線により、この拡散用載せ板(８)のすぐ下側に位置する集束用載せ板(11)上で集束操作手段(12)により集束移動させられて行く前記被乾燥物(５)の各部が、その内部深くに亙って強力に加熱されるため、この被乾燥物(５)の乾燥速度を更に向上させることができる。
【０１４３】
　　○　請求項１５の発明．　図１６、図１８、図１９参照．
　この請求項１５の発明は、上記請求項１の発明１の［効果イ］に加えて、つぎの効果を奏する。
【０１４４】
　［　効果レ．　被乾燥物(５)は、集束用載せ板(11)からの固体の伝導熱と空気の対流熱とにより効率よく加熱されるため、乾燥速度が速くなる。　］
【０１４５】
　前記集束用載せ板(11)上で集束操作手段(12)により集束移動させられて行く前記被乾燥物(５)の各部が、集束用載せ板(11)との接触部を通じて、発熱体(40)から発する熱で加熱される。
　このため、この被乾燥物(５)は、集束用載せ板(11)からの固体の伝導熱と空気の対流熱とにより効率よく加熱されるため、乾燥速度が速くなる。
【０１４６】
　　○　請求項１６の発明．　図１６、図１８、図１９参照．
　この請求項１６の発明は、上記請求項１の発明１の［効果イ］、および請求項１５の発明の［効果レ］に加えて、つぎの効果を奏する。
【０１４７】
　［　効果ソ．　被乾燥物(５)の各部は、遠赤外線発生層(41)からの固体の伝導熱と空気の対流熱とに加えて、固体内への浸透性の高い遠赤外線熱によっても強力に加熱されるため、この被乾燥物(５)の乾燥能力が一層高められる。　］
【０１４８】
　前記集束用載せ板(11)の上面の遠赤外線発生層(41)から放射される遠赤外線により、この集束用載せ板(11)上で集束操作手段(12)により集束移動させられて行く前記被乾燥物(５)の各部は、遠赤外線発生層(41)からの固体の伝導熱と空気の対流熱とに加えて、固体内への浸透性の高い遠赤外線熱によっても強力に加熱されるため、この被乾燥物(５)の乾燥能力が一層高められる。
【０１４９】
　　○　請求項１７の発明．　図１６、図１８、図１９参照．
　この請求項１７の発明は、上記請求項１の発明１の［効果イ］、および請求項１５の発明の［効果レ］に加えて、つぎの効果を奏する。
【０１５０】
　［　効果ツ．　集束用載せ板(11)の下面の遠赤外線発生層(42)から放射される遠赤外線により、このすぐ下側に位置する拡散用載せ板(８)上で拡散移動させられて行く前記被乾燥物(５)の各部が、その内部深くに亙って強力に加熱されるため、この被乾燥物(５)の乾燥速度を更に向上させる。　］
【０１５１】
　集束用載せ板(11)の下面の遠赤外線発生層(42)から放射される固体内への浸透性の高い遠赤外線により、この集束用載せ板(11)のすぐ下側に位置する拡散用載せ板(８)上で拡散操作手段(９)により拡散移動させられて行く前記被乾燥物(５)の各部が、その内部深くに亙って強力に加熱されるため、この被乾燥物(５)の乾燥速度を更に向上させることができる。
【０１５２】
　　○　請求項１８の発明．　図１参照．
　この請求項１８の発明は、上記請求項１の発明１の［効果イ］に加えて、つぎの効果を奏する。
【０１５３】
　［　効果ネ．　乾燥用載せ板(８)上のほぼ全面に広がって拡散移動される被乾燥物(５)も、収束用載せ板(11)上のほぼ全面に広がって収束移動される被乾燥物(５)も、求心状または放射状にほぼ均等に流れる乾燥用空気とほぼ均等に接触して、均等に速やかに能率よく乾燥していくことができる。　］
【０１５４】
　送風器(41)で送風・循環される乾燥用空気は、空気除湿器(39)で除湿して乾燥させ、空気加熱器(40)で温度上昇させて相対湿度を低下させてから、乾燥室容器(１)内で遠心方向拡散移送装置(２)および求心方向収束移送装置(３)を順に通過する。
【０１５５】
　（１）．まず、この乾燥用空気は、遠心方向拡散移送装置(２)を通過するときには、乾燥用載せ板(８)の上側空間内で、この上側空間内の全周辺部から中央部へ求心状に、または中央部から全周辺部へ放射状に、ほぼ均等に流れる。　このため、乾燥用載せ板(８)上のほぼ全面に広がって拡散移動される被乾燥物(５)は、上記の求心状または放射状にほぼ均等に流れる乾燥用空気とほぼ均等に接触して、均等に速やかに能率よく乾燥させられて行く。
【０１５６】
　（２）．つぎに、上記乾燥用空気は求心方向収束移送装置(３)を通過するときには、収束用載せ板(11)の上側空間内で、この上側空間の中央部から周辺部へ放射状に、または周辺部から中央部へ求心状にほぼ均等に流れる。　このため、収束用載せ板(11)上のほぼ全面に広がって収束移動される被乾燥物(５)は、上記の放射状または求心状のほぼ均等に流れる乾燥用空気とほぼ均等に接触して、均等に速やかに能率よく乾燥させられて行く。
【０１５７】
　（３）．以上により、乾燥用載せ板(８)上のほぼ全面に広がって拡散移動される被乾燥物(５)も、収束用載せ板(11)上のほぼ全面に広がって収束移動される被乾燥物(５)も、上記の求心状または放射状にほぼ均等に流れる乾燥用空気とほぼ均等に接触して、均等に速やかに能率よく乾燥していくことができる。
【０１５８】
　　○　請求項１９の発明．　図１参照．
　この請求項１９の発明は、上記請求項１の発明の［効果イ］および請求項１８の発明の［効果ネ］に加えて、つぎの効果を奏する。
【０１５９】
　［　効果ナ．　乾燥用空気は低湿度領域内にある状態では、よく乾燥していて乾燥能力が充分に高い状態になっている性質を利用して、空気加熱器(40)を停止させることにより、乾燥室容器(１)内での乾燥性能は充分高く保持されながらも、空気加熱用電力の消費をなくして、省エネルギーに寄与することができる。］
【０１６０】
　前記空気湿度センサ(42)は、乾燥室容器(１)内で被乾燥物(５)の水分を吸収した乾燥用空気の湿度を検出し、この湿度検出値が設定湿度よりも低い低湿度領域内にあるときには、空気加熱器(40)を加熱停止させるので、空気加熱用電力の消費をなくして、省エネルギーに寄与することができる。
【０１６１】
　しかも、乾燥用空気は低湿度領域内にある状態では、よく乾燥していて乾燥能力が充分に高い状態になっている性質を利用して、空気加熱器(40)を停止させることにより、乾燥室容器(１)内での乾燥性能は充分高く保持されながらも、空気加熱用電力の消費をなくして、省エネルギーに寄与することができる。
【０１６２】
　　○　請求項２０の発明．　図１参照．
　この請求項２０の発明は、上記請求項１の発明の［効果イ］および請求項１８の発明の［効果ネ］に加えて、つぎの効果を奏する。
【０１６３】
　［　効果ラ．　乾燥用空気は低湿度領域内にある状態では、よく乾燥していて乾燥能力が充分に高い状態になっている性質を利用して、空気加熱器(40)の加熱温度を低下させることにより、乾燥室容器(１)内での乾燥性能は充分高く保持しながらも、空気加熱用電力の消費を少なくして、省エネルギーに寄与できる。]
【０１６４】
　前記空気湿度センサ(42)は、乾燥室容器(１)内で被乾燥物(５)の水分を吸収した乾燥用空気の湿度を検出し、この湿度検出値が設定湿度よりも低い低湿度領域内にあるときには、空気加熱器(40)の加熱温度を低下させるので、空気加熱用電力の消費を少なくして、省エネルギーに寄与することができる。
【０１６５】
　しかも、乾燥用空気は低湿度領域内にある状態では、よく乾燥していて乾燥能力が充分に高い状態になっている性質を利用して、空気加熱器(40)の加熱温度を低下させることにより、乾燥室容器(１)内での乾燥性能は充分高く保持しながらも、空気加熱用電力の消費を少なくして、省エネルギーに寄与することができるのである。
【０１６６】
　　○　請求項２１の発明．　図２０−図２３参照．
　この請求項２１の発明の生ゴミ乾燥装置は、つぎの効果を奏する。
【０１６７】
　［　効果ム．　被乾燥物に対して温風の接触効率（乾燥効率）を高めることができる事、　同じ被乾燥物を自動で何度も繰り返して乾燥処理することができる事、　および、１回当たりの処理量を多くできる事。　］
【０１６８】
　まず、乾燥容器の投入口から投入された被乾燥物（生ゴミ）を最上段の棚板で受け、送出装置により順次下段側の棚板上に落下させ得るようになっているので、送出装置による棚板上での撹拌作用と被乾燥物が下段側に落下することにより、被乾燥物に対して温風の接触効率（乾燥効率）を高めることができるという効果がある。
【０１６９】
　又、乾燥容器下部の取出口まで落下した被乾燥物を搬送装置で乾燥容器の上部から該乾燥容器内に戻すことができるようにしているので、同じ被乾燥物を自動で何度も繰り返して乾燥処理することができ、時間をかけることで被乾燥物を十分に（例えば残存含水率が２０％程度まで）乾燥させることができるという効果がある。因に、多段式の乾燥容器内を１回通過させるだけでは被乾燥物を所望の乾燥状態まで乾燥させることができないが、本発明のように乾燥容器内を何度も循環させ得るようにすると、時間はかかるものの被乾燥物を所望の乾燥度合いまで乾燥させることができる。
【０１７０】
　さらに、被乾燥物を乾燥容器外側の搬送装置部分にも収容できるので、乾燥容器部分の容量を大きくすることなしに、１回当たりの処理量を多くできるという効果もある。
【０１７１】
　　○　請求項２２の発明．　図２０参照．
　この請求項２２の発明は、上記請求項２１の発明の［効果ム］に加えて、つぎの効果を奏する。
【０１７２】
　［　効果ウ．　投入される被乾燥物（生ゴミ）が高含水のものであっても、スムーズな搬送が可能になるとともに、被乾燥物が団塊状になりにくい。　］
【０１７３】
　この請求項２２の発明は、上記請求項２１の発明において、搬送装置の途中に被乾燥物を一時的に貯留し得る貯留容器を設けて、該貯留容器に生ゴミ投入口を設けている。そして、貯留容器内に乾燥済み被乾燥物を残した状態で、新しく乾燥すべき高含水の被乾燥物（生ゴミ）を投入口から貯留容器内に投入することで、新しく乾燥すべき被乾燥物の水分を乾燥済み被乾燥物で吸収したり高含水の被乾燥物に乾燥済み被乾燥物を付着させたりすることができる。
【０１７４】
　従って、この請求項２２の生ゴミ乾燥装置では、上記請求項２１の発明の［効果ム］に加えて、新しく投入される高含水の被乾燥物の粘着性やベタツキを軽減することができ、投入される被乾燥物（生ゴミ）が高含水のものであっても、スムーズな搬送が可能になるとともに、被乾燥物が団塊状になりにくいという効果がある。
【０１７５】
　　○　請求項２３の発明．　図２０参照．
　この請求項２３の発明は、上記請求項２１の発明の［効果ム］および請求項２２の発明の［効果ウ］に加えて、つぎの効果を奏する。
【０１７６】
　［　効果ノ．　貯留容器に投入する乾燥すべき生ゴミが細断されていることにより、該生ゴミの表面積が大きくなって乾燥させ易くなるとともに、貯留容器内で高含水の生ゴミと乾燥済み被乾燥物とを混合させ易くなる。　］
【０１７７】
　この請求項２３の発明は、上記請求項２２の発明の生ゴミ乾燥装置において、貯留容器の生ゴミ投入口に生ゴミを細断する細断装置付きの生ゴミ投入容器を接続しているので、新しく乾燥させる被乾燥物（生ゴミ）を細かく細断した状態で貯留容器に投入することができる。
【０１７８】
　従って、この請求項２３の発明の生ゴミ乾燥装置では、上記請求項２２の発明の［効果ウ］に加えて、貯留容器に投入する乾燥すべき生ゴミが細断されていることにより、該生ゴミの表面積が大きくなって乾燥させ易くなるとともに、貯留容器内で高含水の生ゴミと乾燥済み被乾燥物とを混合させ易くなるという効果がある。
【０１７９】
　　○　請求項２４の発明．　図２１参照．
　この請求項２４の発明は、上記請求項２１の発明の［効果ム］に加えて、つぎの効果を奏する。
【０１８０】
　［　効果オ．　棚板上において被乾燥物を温風供給装置からの温風と各棚板の面状発熱体との両方で上下から加熱することができ、乾燥効率（乾燥時間）を大幅に向上させる。　］
【０１８１】
　この請求項２４の発明は、上記請求項２１から２３のいずれか１項の発明の生ゴミ乾燥装置において、各棚板の上面部に面状発熱体を設けているので、被乾燥物を各棚板の上面からも直接加熱することができる。
【０１８２】
　従って、この請求項２４の発明の生ゴミ乾燥装置では、上記請求項２１〜２３の発明の効果に加えて、棚板上において被乾燥物を温風供給装置からの温風と各棚板の面状発熱体との両方で上下から加熱することができ、乾燥効率（乾燥時間）を大幅に向上させることができるという効果がある。
【発明を実施するための最良の形態】
【０１８３】
　以下、本発明の含水物質の乾燥装置の実施の形態を、図面に基づき説明する。
　　○　実施形態１．　請求項１−１９の発明．　図１−図１６参照．
　図２は含水物質の乾燥設備の乾燥処理系統図である。
【０１８４】
　この図２に示すように、乾燥処理しようとする生ゴミなどの含水物質(５)は、生ゴミホッパー(51)に投入され、ここからディスポーダー(52)・脱水機(53)および混合機(54)を順に通って、本発明の対象である含水物質の乾燥装置(55)に供給される。
【０１８５】
　上記含水物質(５)は、乾燥装置(55)内で乾燥されたのち、選別機(56)で未乾燥の物(5A)と乾燥した物(5B)と鉄片や石ころなどの不純物の重い物(5C)とに選別される。この未乾燥の物(5A)はダクトスクリュー式の搬送装置(57)で前記混合機(54)に戻され、ここで前記生ゴミと混合されて、乾燥装置(55)に循環される。前記乾燥した物(5B)と重い物(5C)は脱臭機(58)を経て、ロータリードラムまたはパッカー車(59)に蓄えられた後、産業廃棄物として廃棄処理される。
【０１８６】
　図１・図３・図４・図８および図９に基づき説明する。
　図１は含水物質の乾燥装置の縦断正面図である。　図３は図１のIII線断面図。図４は図３における乾燥作動状態を示す平面図であって、拡散用載せ板(８)上で被乾燥物(５)を近似渦巻き条材状(20)に形成しながら拡散移動させていく状態を示す。　図８は図１のVIII−VIII線断面図。図９は図８における乾燥作動状態を示す平面図であって、集束用載せ板(11)上で被乾燥物(５)を近似渦巻き条材状(21)に形成しながら集束移動させていく状態を示す。
【０１８７】
　この図１・図３・図４・図８および図９に示すように、含水物質の乾燥装置(55)は、縦型の乾燥室容器(１)、上下多段の遠心方向拡散移送装置(２)…、上下多段の求心方向集束移送装置(３)…、および減速機付き電動モータから成る移送駆動装置(４)を備える。この縦型の乾燥室容器(１)内に、上下多段の各遠心方向拡散移送装置(２)…と、上下多段の各求心方向集束移送装置(３)…とを、上下方向に交互に配置して、互いに上下に間隔を空けて同心状に設ける。前記乾燥室容器(１)は、容器上部に被乾燥物(５)の投入口(６)を設け、容器下部に被乾燥物(５)の排出口(７)を設ける。
【０１８８】
　前記各遠心方向拡散移送装置(２)…は、被乾燥物(５)を載せるステンレス鋼板製の各拡散用載せ板(８)…と、被乾燥物(５)を各拡散用載せ板(８)…上でその板中央部から板周辺部へ拡散移動させて行く各拡散操作手段(９)…と、被乾燥物(５)を各拡散用載せ板(８)…の外周部から落下させるための各外周部落下口(10)…とを備える。この各拡散用載せ板(８)…を乾燥室容器(１)に固定するのに対して、各拡散操作手段(９)…を乾燥室容器(１)内の中央の垂直駆動軸(61)を介して前記移送駆動装置(４)で水平方向に旋回駆動可能に構成する。
【０１８９】
　これにより、各拡散用載せ板(８)…上で、その板中央部に上から落下してきた被乾燥物(５)を受け取って、この被乾燥物(５)をその板中央部から板周辺部に向かって各拡散操作手段(９)…で拡散移動させて行って、各外周部落下口(10)…から落下させて行くように構成する。
【０１９０】
　前記各求心方向集束移送装置(３)…は、被乾燥物(５)を載せるステンレス鋼板製の各集束用載せ板(11)…と、被乾燥物(５)を各集束用載せ板(11)…上でその板周辺部から板中央部へ集束移動させて行く各集束操作手段(12)…と、乾燥物(５)を各集束用載せ板(11)…の板中央部から落下させるための各中央部落下口(13)…とを備える。この各集束用載せ板(11)…を乾燥室容器(１)に固定するのに対して、各集束操作手段(12)…を前記垂直駆動軸(61)を介して前記移送駆動装置(４)で水平方向に旋回駆動可能に構成する。
【０１９１】
　これにより、各集束用載せ板(11)…上で、その板周辺部に上から落下してきた被乾燥物(５)を受け取って、この被乾燥物(５)をその板周辺部から板中央部に向かって各集束操作手段(12)…で集束移動させて行って、各中央部落下口(13)…から落下させて行くように構成した。
【０１９２】
　図３−図７に基づき説明する。
　図３は図１のIII線断面図。図４は図３における乾燥作動状態を示す平面図であって、拡散用載せ板(８)上で被乾燥物(５)を近似渦巻き条材状(20)に形成しながら拡散移動させていく状態を示す。図５は図４のＶ部拡大図。　図６（Ａ）は図４のＡ−Ａ線断面図。図６（Ｂ）は図４のＢ−Ｂ線断面図。図６（Ｃ）は図４のＣ−Ｃ線断面図。図６（Ｄ）は図４のＤ−Ｄ線断面図。図７は図４の乾燥作動状態を示す平面図の展開図である。
【０１９３】
　この図３−図７に示すように、前記各遠心方向拡散移送装置(２)…の拡散操作手段(９)…は、ステンレス鋼板製の多数枚の拡散操作羽根(14)…と、これらの拡散操作羽根(14)…を支持する拡散羽根支持具(15)とを備える。これら多数枚の拡散操作羽根(14)…は互いに、拡散操作手段(９)の回転周方向および回転半径方向へ順にずらせて配置する。
【０１９４】
　これにより、被乾燥物(５)は各拡散用載せ板(８)…上でその板中央部から板周辺部に向かって、各拡散操作羽根(14)…で遠心方向へ順に押し出されて行くことにより、近似渦巻き条材状(20)に形成されながら拡散移動させられて行って、各外周部落下口(10)…から落下して行くように構成する。
【０１９５】
　図８−図１２に基づき説明する。
　図８は図１のVIII−VIII線断面図。図９は図８における乾燥作動状態を示す平面図であって、集束用載せ板(11)上で被乾燥物(５)を近似渦巻き条材状(21)に形成しながら集束移動させていく状態を示す。図１０は図９のＸ部拡大図。　図１１（Ａ）は図９のＡ−Ａ線断面図。図１１（Ｂ）は図９のＢ−Ｂ線断面図。図１１（Ｃ）は図９のＣ−Ｃ線断面図。図１１（Ｄ）は図９のＤ−Ｄ線断面図。図１２は図９の乾燥作動状態を示す平面図の展開図である。
【０１９６】
　この図８−図１２に示すように、前記各求心方向集束移送装置(３)…の各集束操作手段(12)…は、ステンレス鋼板製の多数枚の集束操作羽根(16)…と、これらの集束操作羽根(16)…を支持する集束羽根支持具(17)とを備える。これら多数枚の集束操作羽根(16)…は互いに、集束操作手段(12)の回転周方向および回転半径方向に順にずらせて配置する。
【０１９７】
　これにより、被乾燥物(５)は各集束用載せ板(11)…上でその板周辺部から板中央部に向かって、各集束操作羽根(16)…で求心側へ順に押し込まれて行くことにより、近似渦巻き条材状(21)に形成されながら集束移動させられて行って、各中央部落下口(13)…から落下して行くように構成した。
【０１９８】
　図３に示すように、前記各遠心方向拡散移送装置(２)…の各拡散操作手段(９)…の各拡散羽根支持具(15)…は、拡散操作手段(９)の回転中心部から放射方向にのびる４本の拡散羽根支持腕(18)…同士を一体に連結したものから成る。この４本の各拡散羽根支持腕(18)…の腕長さ方向の複数箇所にそれぞれ前記各拡散操作羽根(14)…を固定する。各拡散羽根支持腕(18)…同士間では各拡散操作羽根(14)…を固定する各腕長さ位置を互いに順にずらせていくように構成する。
【０１９９】
　図８に示すように、前記各求心方向集束移送装置(３)…の各集束操作手段(12)…の各集束羽根支持具(17)…は、集束操作手段(12)の回転中心部から放射方向にのびる４本の集束羽根支持腕(19)…同士を一体に連結したものから成る。この４本の各集束羽根支持腕(19)…の腕長さ方向の複数箇所にそれぞれ前記各集束操作羽根(16)…を固定する。各集束羽根支持腕(19)…同士間では各集束操作羽根(16)…を固定する各腕長さ位置を互いに順にずらせていくように構成した。
【０２００】
　図３−図７に示すように、前記各遠心方向拡散移送装置(２)…の各拡散用載せ板(８)…上で、被乾燥物(５)が近似渦巻き条材状(20)に形成されながら拡散移動させられて行く途上において、前記複数枚の各拡散操作羽根(14)…は、前記被乾燥物(５)の近似渦巻き条材状(20)の条材状肉幅(22)のうちの一部の肉幅部分(23)を残して、残部の肉幅部分(24)のみを切り分けて遠心側へ押し出していくように配置した。
【０２０１】
　前記各拡散用載せ板(８)…上で、前記近似渦巻き条材状(20)の条材状肉幅(22)のうちの残部の肉幅部分(24)のみを遠心側へ押し出して行く拡散操作羽根(14)は、これを複数枚断続させて排列する。この排列された複数枚の拡散操作羽根(14)…のうちの、拡散用載せ板(８)の板中央部側に位置する拡散操作羽根(14)で遠心側へ押し出された近似渦巻き条材状(20)の前記残部の肉幅部分(24)が、これよりも板周辺部側に位置する拡散操作羽根(14)で遠心側へは押し出されずに置き残された近似渦巻き条材状(20)の前記一部の肉幅部分(23)に接当して合体するように構成した。
【０２０２】
　図８−図１２に示すように、前記各求心方向集束移送装置(３)…の各集束用載せ板(11)…上で、被乾燥物(５)が近似渦巻き条材状(21)に形成されながら集束移動させられて行く途上において、前記複数枚の各集束操作羽根(16)…は、前記被乾燥物(５)の近似渦巻き条材状(21)の条材状肉幅(25)のうちの一部の肉幅部分(26)を置き残して、残部の肉幅部分(27)のみを切り分けて求心側へ押し込んでいくように配置した。
【０２０３】
　前記各集束用載せ板(11)…上で、前記近似渦巻き条材状(21)の条材状肉幅(25)のうちの残部の肉幅部分(27)のみを求心側へ押し出して行く集束操作羽根(16)は、これを多数枚断続させて排列する。この排列された多数枚の拡散操作羽根(16)…のうちの、集束用載せ板(11)の板周辺部側に位置する集束操作羽根(16)で求心側へ押し込まれた近似渦巻き条材状(21)の前記残部の肉幅部分(27)が、これよりも板中央部側に位置する集束操作羽根(16)で求心側へは押し出されずに置き残された近似渦巻き条材状(21)の前記一部の肉幅部分(26)に接当して合体するように構成した。
【０２０４】
　図１３に示すように、前記各遠心方向拡散移送装置(２)…の各拡散操作手段(９)…の多数枚の拡散操作羽根(14)…のうち、拡散操作手段(９)の回転中心に近いものから遠いものに移行するにつれて、各拡散操作羽根(14)…の遠心方向への押出し寸法(31)を次第に小さくなる寸法に設定するとともに、各拡散操作羽根(14)…の回転円の接線に対する押出し用傾斜角度(32)を次第に小さくなる角度に設定した。
【０２０５】
　図１４に示すように、前記各求心方向集束移送装置(３)…の各集束操作手段(12)…の多数枚の集束操作羽根(16)…のうち、集束操作手段(12)の回転中心から遠いものから近いものに移行するにつれて、各集束操作羽根(16)…の求心方向への押込み寸法(33)を次第に大きくなる寸法に設定するとともに、各収束操作羽根(16)…の回転円の接線に対する押込み用傾斜角度(34)を次第に大きくなる角度に設定した。
【０２０６】
　図１５に示すように、前記各遠心方向拡散移送装置(２)…の各拡散用載せ板(８)…を加熱するカーボン式の各発熱体(36)…を、この各拡散用載せ板(８)…の下面に２重の円環状にして設ける。各拡散用載せ板(８)…上で各拡散操作手段(９)…により拡散移動させられて行く前記被乾燥物(５)の各部が、各拡散用載せ板(８)…との接触部を通じて、その各発熱体(36)…から発する熱で加熱されるように構成した。このカーボン式の発熱体(36)は、カーボン製の太い発熱線を雲母製の絶縁体を介して鉄管で被覆したものから成る。
【０２０７】
　前記各遠心方向拡散移送装置(２)…の各拡散用載せ板(８)…の上面に各遠赤外線発生層(37)…を設ける。この各拡散用載せ板(８)…に設けた前記各発熱体(36)…から発する熱が、この遠赤外線発生層(37)で遠赤外線に変換され、この遠赤外線によりこの各拡散用載せ板(８)…上で各拡散操作手段(９)…により拡散移動させられていく前記被乾燥物(５)の各部が加熱されるように構成した。
【０２０８】
　前記各遠心方向拡散移送装置(２)…の各拡散用載せ板(８)…の下面に各遠赤外線発生層(38)…を設ける。この各拡散用載せ板(８)…に設けた前記各発熱体(36)…から発する熱が、この各遠赤外線発生層(38)…で遠赤外線に変換され、この遠赤外線によりこの各拡散用載せ板(８)…のすぐ下側に位置する前記各求心方向集束移送装置(３)…の各集束用載せ板(11)…上で各集束操作手段(12)…により集束移動させられていく前記被乾燥物(５)の各部が加熱されるように構成した。
【０２０９】
　図１６に示すように、前記各求心方向集束移送装置(３)…の各集束用載せ板(11)…を加熱するカーボン式の各発熱体(40)…をこの各集束用載せ板(11)…の下面に２重の円環状にして設ける。この各集束用載せ板(11)…上で各集束操作手段(12)…により集束移動させられて行く前記被乾燥物(５)の各部が、各収束用載せ板(11)…との接触部を通じて、その各発熱体(40)…から発する熱で加熱されるように構成した。このカーボン式の発熱体(40)は、カーボン製の太い発熱線を雲母製の絶縁体を介して鉄管で被覆したものから成る。
【０２１０】
　前記各求心方向集束移送装置(３)…の各集束用載せ板(11)…の上面に各遠赤外線発生層(41)…を設ける。この各集束用載せ板(11)…に設けた前記各発熱体(40)…から発する熱がこの各赤外線発生層(41)で遠赤外線に変換され、この遠赤外線によりこの各集束用載せ板(11)…上で各集束操作手段(12)…により集束移動させられていく前記被乾燥物(５)の各部が加熱されるように構成した。
【０２１１】
　前記各求心方向集束移送装置(３)…の各集束用載せ板(11)…の下面に各遠赤外線発生層(42)…を設ける。この各集束用載せ板(11)…に設けた前記各発熱体(40)…から発する熱がこの各赤外線発生層(42)…で遠赤外線に変換され、この遠赤外線によりこの各集束用載せ板(11)…のすぐ下側に位置する前記各遠心方向拡散移送装置(２)…の各拡散用載せ板(８)…上で各拡散操作手段(９)…により拡散移動させられていく前記被乾燥物(５)の各部が加熱されるように構成した。
【０２１２】
　図１に示すように、前記乾燥室容器(１)に送風器(46)・空気除湿器(44)・排水処理装置(62)・および空気加熱器(45)を空気循環可能に連通させる。この送風器(46)で送風される乾燥用空気は、まず空気除湿器(44)で除湿したのち、排水処理装置(62)で排水処理し、空気加熱器(45)で温度上昇させて相対湿度を低下させておく。
【０２１３】
　次いで、その乾燥用空気は、乾燥室容器(１)内で各遠心方向拡散移送装置(２)…および各求心方向集束移送装置(３)…を上向きに順に通過していく段階で、各拡散用載せ板(８)…上で各拡散操作手段(９)…により拡散移動させられて行く被乾燥物(５)と、各集束用載せ板(11)…上で各集束操作手段(12)…により集束移動させられて行く被乾燥物(５)とから水分を吸収して、これらの被乾燥物(５)(５)を乾燥させて行く。そして再び空気除湿器(39)で除湿したのち、排水処理装置(46)で排水処理し、空気加熱器(40)に戻して温度上昇させてから、乾燥室容器(１)に循環させるように構成した。
【０２１４】
　前記乾燥室容器(１)内の各遠心方向拡散移送装置(２)…で拡散移動させられていく被乾燥物(５)および各求心方向集束移送装置(３)…で集束移動させられていく被乾燥物(５)の水分を吸収した乾燥用空気の湿度を検出する空気湿度センサ(47)を、乾燥室容器(１)内の乾燥用空気流路の下流側部分である乾燥容器(１)内の上部に設ける。
【０２１５】
　この空気湿度センサ(47)は、その湿度検出値が設定湿度値（例えば２０％）よりも高い高湿度領域内にあるときには、前記空気加熱器(45)を加熱作動させるのに対して、その湿度検出値が設定湿度値よりも低い低湿度領域内にあるときには、前記空気加熱器(45)を加熱停止させるように構成したものである。
【０２１６】
　　○　実施形態２．　請求項１２−１７の発明．　図１７・図１８参照．
　この実施形態２は、上記実施形態１の含水物質の乾燥装置において、前記拡散用載せ板(８)および集束用載せ板(11)を図１７・図１８に示すように変更したものである。
　図１７は図１の拡散用載せ板(８)の縦断正面図であって、実施形態１の図１５（Ａ）に相当する図である。図１８は図１の各集束用載せ板(11)の縦断正面図であって、実施形態１の図１６（Ａ）に相当する図である。
【０２１７】
　図１７に示すように、拡散用載せ板(８)はステンレス鋼板製の上下一対の円板(8a)(8b)から成る。この両円板(8a)(8b)の間に前記２重の円環状のカーボン式の発熱体(36)を挟み込んで固定する。上側の円板(8a)の上面および下側の円板(8b)の下面に、それぞれ遠赤外線発生層(37)(38)を設ける。
【０２１８】
　図１８に示すように、集束用載せ板(11)はステンレス鋼板製の上下一対の円板(11a)(11b)から成る。この両円板(11a)(11b)の間に前記２重の円環状のカーボン式の発熱体(40)を挟み込んで固定する。上側の円板(11a)の上面および下側の円板(11b)の下面に、それぞれ遠赤外線発生層(41)(42)を設けたものである。
【０２１９】
　　○　実施形態３．　請求項１２−１７の発明．　図１９参照．
　この実施形態３は、上記実施形態１の含水物質の乾燥装置において、前記拡散用載せ板(８)および集束用載せ板(11)を図１９に示すように変更したものである。
　図１９は図１の拡散用載せ板(８)または集束用載せ板(11)の縦断正面図であって、実施形態１の図１５（Ａ）または図１６（Ａ）に相当する図である。
【０２２０】
　ステンレス鋼板製の前記拡散用載せ板(８)および集束用載せ板(11)の各発熱体(36)(40)は、カーボン式の発熱体から面状発熱体に変更する。この各面状発熱体(36)(40)は前記拡散用載せ板(８)および集束用載せ板(11)の上面および下面の全面を覆う状態に設ける。そして、上側の面状発熱体(36)(40)の上面および下側の面状発熱体(36)(40)の下面に、それぞれ遠赤外線発生層(37)(38)(41)(42)を設けたものである。
【０２２１】
　　○　実施形態４．　請求項２０の発明．　図１参照．
　この実施形態４は、上記実施形態１の含水物質の乾燥装置において、前記空気湿度センサ(47)による空気過熱器(45)の制御を、次のように変更したものである。
　図１は含水物質の乾燥装置の縦断正面図である。
【０２２２】
　前記空気湿度センサ(47)は、その湿度検出値が設定温度（例えば２０％）よりも高い高湿度領域の場合と比べて、その湿度検出値がその設定温度（例えば２０％）よりも低い低湿度領域の場合のほうが、前記空気過熱器(45)の加熱温度を低下させるように構成したものである。
【０２２３】
　　○　実施形態５．　請求項２１−２４の発明．　図２０−図２３参照．
　図２０−図２３は本発明の生ゴミ乾燥装置の実施形態５を示す。図２０は生ゴミ乾燥装置の縦断正面図である。図２１は図２０の生ゴミ乾燥装置の一部拡大図。図２２は図２０のXXII−XXII線拡大断面図。図２３は図２０のXXIII−XXIII線拡大断面図である。
【０２２４】
　図２０−図２３を参照して本発明の実施形態を説明すると、この実施形態の生ゴミ乾燥装置は、例えば残飯や食材の切れ端等の生ゴミをかなりの乾燥度合い（例えば含水率が２０％程度）まで乾燥させるものである。
【０２２５】
　図２０−図２３に示す実施形態の生ゴミ乾燥装置は、被乾燥物（生ゴミ）を実質的に乾燥させる部屋となる乾燥容器(101)と、乾燥容器(101)内の各棚板(114)(114)・・上にある被乾燥物(Ｙ)を順次下段側に送り出す送出装置(102)と、乾燥容器(101)内に温風を供給する温風供給装置(104)と、乾燥容器(101)の取出口(113)から取り出される被乾燥物(Ｙ)を乾燥容器(101)の上部（投入口(12)）に戻す搬送装置(103)と、搬送装置(103)の一部となる貯留容器(105)と、該貯留容器(105)内に生ゴミを投入する生ゴミ投入容器(106)とを基本構成としている。
【０２２６】
　乾燥容器(101)は、縦型円筒状の容器本体(111)の上部に被乾燥物(Ｙ)の投入口(112)を設け、該容器本体(111)の下部に被乾燥物(Ｙ)の取出口(113)を設け、該容器本体(111)内に上下多段に配置した複数段の棚板(114)(114)・・を設けている。尚、容器本体(111)の底部は漏斗状に傾斜しており、その底部中心に取出口(113)を形成している。
【０２２７】
　乾燥容器(101)内の棚板(114)は、この実施形態では上下にほぼ等間隔で合計５段設けている。尚、この棚板(114)の段数は、特に５段に限定するものではなく、適宜の段数に設定できることは勿論である。
【０２２８】
　各棚板(114)(114)・・には、当該棚板(114)上の被乾燥物(Y)を次段側に落下させるための通口(115)(116)が形成されている。この通口(115)(116)は、各棚板(114)における中心（符号115）に設けたものと、外周（符号116）に設けたものとがある。そして、この実施形態では、上から第１段と第３段と第５段の各棚板(114)(114)(114)に中心通口(115)を形成し、第２段と第４段の各棚板(114)(114)に外周通口(116)を形成している。従って、この乾燥容器(101)では、上下に隣接する各棚板(114)(114)・・の通口が順次交互に棚板中心（符号115）と棚板外周（符号116）とに位置している。尚、棚板中心に通口(115)をもつ棚板(114)は、図２３に示すように、その外周部分を容器本体(111)の内周面に接合させている。又、棚板外周に通口(116)をもつ棚板(114)は、図２２に示すように、容器本体(111)の内面にステー(119)(119)・・を介して支持させている。
【０２２９】
　各棚板(114)(114)・・上の被乾燥物(Ｙ)は、送出装置(102)によって各通口(115)(116)に送り出されるが、この送出装置(102)は、乾燥容器(101)の中心部に下向きに挿入された回転軸(122)と、回転軸(122)を回転させるモータ(121)と、回転軸(122)に取付けた上下５段の掃出し材(123)(123)・・とを有している。尚、回転軸(122)は、この実施形態では、上方から見て左回転方向に回転せしめられる。
【０２３０】
　各段の掃出し材(123)(123)・・は、回転軸(122)を挟んでそれぞれ対向位置に水平姿勢で一対づつ設けている。この掃出し材(123)(123)・・には、１つの掃出し材につき小片からなる複数枚（図示例では４〜５枚）の掃出しプレート(124)(124)・・が取付けられている。この各掃出しプレート(124)(124)・・は、それぞれ該当する棚板(114)の上面に近接する位置で、乾燥容器(101)の半径方向に間隔をもって配置している。このように、各掃出しプレート(124)(124)・・間に間隔をもたせると、掃出し材(123)(123)が回転したときに、図２１に示すように棚板(114)上の被乾燥物(Ｙ)を各掃出しプレート(124)(124)・・で周方向の筋状に分断する機能を有し、それによって塊状の被乾燥物であっても小さくほぐすことができるとともに撹拌作用も大きくなる。
【０２３１】
　また、相互に対向する掃出し材(123)(123)・・において、各側の掃出しプレート(124)(124)・・は、相互に対向側の掃出しプレートの間隔部分に対応するように半径方向の位置決めがなされいてる。このようにすると、筋状に残した被乾燥物を対向側の掃出しプレート(124)(124)・・で確実に掃出すことができる。
【０２３２】
　又、中心通口(115)のある各棚板(上から奇数段目のもの)(114)(114)(114)上の各掃出し材(123)(123)・・の各掃出しプレート(124)(124)・・は、図２３に示すように掃出し材(123)(123)・・が左回転したときに棚板(114)上の被乾燥物を中心方向に押し出し得るような角度を持たせている。他方、外周通口(116)のある各棚板（上方から偶数段目のもの）(114)(114)上の各掃出し材(123)(123)・・の各掃出しプレート(124)(124)・・は、図２２に示すように掃出し材(123)(123)・・が左回転したときに、棚板(114)上の被乾燥物を外周方向に押し出し得るような角度を持たせている。
【０２３３】
　従って、この送出装置(102)を作動させると、各棚板(114)(114)・・上の被乾燥物(Ｙ)が各掃出し材(123)(123)・・によって棚板(114)(114)上を回転方向及び内・外方向に移動せしめられながら（撹拌されながら）、図２１に実線矢印（符号Ｙ）で示すように各通口(115)(116)から順次下段側に落とされる。
【０２３４】
　各棚板(114)(114)・・の上面部には、それぞれ面状発熱体(117)(117)・・を取付けている。この面状発熱体(117)(117)・・は、各棚板上面のほぼ全面を被覆し得る大きさを有している。この面状発熱体(117)としては、例えばフイルム状基板に発熱材(カーボン）を１本の細幅線状で且つフイルム状基板の全面に分布させた状態で塗工したもの（図２２、図２３の発熱線117a）が使用されている。この面状発熱体(117)の発熱線(117a)は、発熱温度が６０〜８０℃程度の比較的低温度のものが使用されている。そして、各面状発熱体(117)(117)・・は、各棚板(114)(114)・・の上面に張設し、その上を熱伝導の良好な保護カバー（例えばステンレス鋼板製）(118)で被覆して設置している。各段の面状発熱体(117)(117)（発熱線117）には、容器本体(111)の側壁を貫通して給電される。尚、他の実施形態では、乾燥容器(101)の容器本体内面にも上記の面状発熱体を設けてもよい。
【０２３５】
　温風供給装置(104)は、図２０に示すように、温風発生器(141)と該温風発生器(141)で発生した温風を乾燥容器(101)内の底部に吹き込む送風機(142)と、乾燥容器(101)内の上部から空気を吸引する吸引機(143)と、吸引した空気から除湿をする除湿器(144)と、温風中の臭気成分を除去する脱臭器(145)とを有している。
【０２３６】
　温風発生器(141)は、電気ヒータを用いて例えば６０〜８０℃程度の比較的低温度の温風を発生させる。そして、送風機(142)で乾燥容器(101)内の底部に吹き込まれた温風は、図２１に点線矢印（符号Ｗ）で示すように各通口(115)(116)を通って乾燥容器(101)内の全域をジグザグ状に移動し、吸引機(143)により乾燥容器(101)内の上部から除湿器(144)側に吸引され、脱臭器(145)を通って、順次循環するようになっている。尚、温風発生器(141)の電気ヒータは、乾燥容器(101)内を循環させる温風の温度を検知するサーミスタでＯＮ・ＯＦＦ制御される。
【０２３７】
　被乾燥物を循環させるための搬送装置(103)は、図２０に示すように、乾燥容器(101)の取出口(113)に連続する第１スクリューコンベア(131)と、該第１スクリューコンベア(131)の出口に連続する貯留容器(105)と、該貯留容器(105)の排出口(153)に連続する第２スクリューコンベア(132)と、該第２スクリューコンベア(132)の出口に連続するバケットコンベア(133)とを有している。即ち、第１スクリューコンベア(131)は、乾燥容器(101)の取出口(113)と貯留容器(105)の投入口(152)間に設けられ、第２スクリューコンベア(132)は、貯留容器(105)の排出口(153)とバケットコンベア(133)の始端部とを連続し、バケットコンベア(133)の終端部は、乾燥容器(101)の投入口(112)に連続させている。尚、この搬送装置(103)の詳細な機能については後述する。
【０２３８】
　搬送装置(103)の途中（図示例では第１スクリューコンベア(131)）には、乾燥済み被乾燥物を外部へ排出するための扉(137)付きの排出口(136)が設けられている。尚、この扉(137)は手動で開閉される。又、この排出口(136)の下方にはシューター(138)が設けられている。そして、該排出口(136)を解放させた状態で第１スクリューコンベア(131)を作動させることにより、該第１スクリューコンベア(131)部分を搬送される乾燥済み被乾燥物が排出口(136)、シューター(138)を通って収容容器(139)に収容できるようになっている。
【０２３９】
　貯留容器(105)は、搬送装置(103)の一部となるものであるが、該貯留容器(105)内には被乾燥物を所定量だけ一時的に貯留し得る。又、この貯留容器(105)内には、撹拌装置(154)が設けられている。この撹拌装置(154)は、モータ(155)により撹拌羽根(156)を貯留容器(105)内で回転させることにより、貯留容器(105)内に貯留されている被乾燥物を撹拌するものである。
【０２４０】
　貯留容器(105)には、生ゴミ投入容器(106)が接続されている。即ち、生ゴミ投入容器(106)の底部の排出口(162)を貯留容器(105)の投入口（第１投入口）(151)に接続させている。
【０２４１】
　生ゴミ投入容器(106)内には、その投入口(161)から投入された生ゴミを細断するための細断装置(163)を設けている。そして、この生ゴミ投入容器(106)は、その投入口(161)から生ゴミを投入すると、細断装置(163)で細断して、その細断した生ゴミを底部の排出口(162)から貯留容器(105)の投入口（第１投入口）(151)に供給するようになっている。尚、この生ゴミ投入容器(106)への生ゴミ投入は、通常の乾燥運転中は行わない。
【０２４２】
　この実施形態の生ゴミ乾燥装置は、次のように運転される。尚、最初の運転時には乾燥容器(101)内及び搬送装置(103)内に被乾燥物がない。そして、被乾燥物を移送させるための各装置（細断装置(163)、撹拌装置(154)、第２スクリューコンベア(132)、バケットコンベア(133)、送出装置(102)、第１スクリューコンベア(131)等）を作動させるとともに、温風供給装置(104)及び各面状発熱体(117)(117)・・により乾燥容器(101)内の空気及び各棚板(114)(114)・・を加熱しておく。尚、このとき第１スクリューコンベア(131)に設けた排出口(136)の扉(137)は閉じておく。
【０２４３】
　この状態で生ゴミ投入容器(106)の投入口(161)から被乾燥物（生ゴミ）を投入すると、その被乾燥物が細断装置(163)で細断されて貯留容器(105)内に投入され、該貯留容器(105)内の被乾燥物が順次第２スクリューコンベア(132)、バケットコンベア(133)を経て乾燥容器(101)の投入口(112)から乾燥容器(101)に投入される。尚、この生ゴミ乾燥装置による１回当たりの被乾燥物処理量は、乾燥容器(101)、搬送装置(103)、貯留容器(105)等の合計容量によって設定されるが、その許容処理量に達するはでは生ゴミ投入容器(106)から処理すべき生ゴミを順次連続して投入することができる。
【０２４４】
　乾燥容器(101)内に投入された被乾燥物は、まず最上段の棚板(114)に載せられるが、送出装置(102)の掃出し材(123)(123)が回転していることにより、最上段棚板(114)上の被乾燥物(Ｙ)（図２１）が各掃出しプレート(124)(124)・・で撹拌されながら順次中心通口(115)側に移動せしめられて、該中心通口(115)から第２段目棚板(114)上に落下する。又、第２段目棚板(114)で受けられた被乾燥物は、２段目の各掃出し材(123)(123)により該２段目棚板(114)上を外周通口(116)側に移動せしめられて、該外周通口(116)から３段目の棚板(114)上に落下し、順次同様に３段目棚板(114)から４段目棚板(114)、４段目棚板(114)から５段目棚板(114)、５段目棚板(114)から乾燥容器(101)の底部へと移動せしめられる。尚、各棚板(114)(114)・・上の被乾燥物がそれぞれ下段側に落下するのと併行して、当該棚板上には後の被乾燥物が順次供給されるので、各棚板(114)(114)・・上が空になることがない。
【０２４５】
　被乾燥物(Ｙ)が乾燥容器(101)内を移動する際に、該被乾燥物が乾燥容器(101)内を流れる温風(Ｗ)（図２）と各棚板(114)(114)・・（面状発熱体(117)）からの熱の両方で上下から加熱される。又、各棚板(114)(114)・・上では、被乾燥物(Ｙ)が掃出しプレート(124)(124)・・によって撹拌され且つほぐされながら移動するので、被乾燥物における温風接触部分及び棚板接触部分が入れ替わり該被乾燥物全体が均一加熱される。尚、温風供給装置(104)及び面状発熱体(117)による加熱温度は６０〜８０℃程度の比較的低温に設定されている。
【０２４６】
　ところで、被乾燥物は、乾燥容器(101)内での滞留時間にもよるが該乾燥容器(101)内を１回通過させただけでは、所望の乾燥度合い（例えば含水率が２０％程度）まで乾燥させることができない。そこで、乾燥容器(101)の底部まで移動した被乾燥物は、取出口(113)から第１スクリューコンベア(131)で貯留容器(105)側に搬送し、該貯留容器(105)から、第２スクリューコンベア(132)、バケットコンベア(133)を経て乾燥容器(101)の投入口(112)に戻して、該乾燥容器(101)内で再度加熱する。そして、被乾燥物を乾燥容器(101)と搬送装置(103)との間を所定時間循環させて、所望の乾燥度合いになるまで乾燥させる。尚、被乾燥物の乾燥度合いは、乾燥容器(101)内の湿度をチェックすることで知ることができる。
【０２４７】
　被乾燥物が所望の乾燥度合いまで乾燥されると、貯留容器(105)側の第２スクリューコンベア(132)のみを停止させて、該貯留容器(105)内に所定量の乾燥済み被乾燥物を貯留させ、その後に乾燥容器(101)側の第１スクリューコンベア(131)の扉(137)を図２０に鎖線図示（符号37'）するように解放させる。尚、貯留容器(105)内に貯留する乾燥済み被乾燥物は、次に乾燥処理する生ゴミと混合させるためのもので、該貯留容器(105)内に残す乾燥済み被乾燥物の量は、次の生ゴミ投入量によって適宜に調整することができる。
【０２４８】
　第１スクリューコンベア(131)の排出口(136)が開放され、該第１スクリューコンベア(131)とバケットコンベア(133)と送出装置(102)がそれぞれ作動している（第２スクリューコンベア(132)のみ停止）と、第１スクリューコンベア(131)の始端側から搬送されてくる乾燥済み被乾燥物が順次排出口(136)からシューター(138)を通って収容容器(139)内に落下・排出される。この乾燥済み被乾燥物の排出作業は、乾燥容器(101)内及びバケットコンベア(133)内の全量が排出されるまで行う。尚、このように十分に乾燥させた被乾燥物は、軽量化及び減容化させることができるとともに、腐敗の進行も緩和できる。
【０２４９】
　続いて、次の生ゴミを乾燥処理するには、貯留容器(105)内に乾燥済み被乾燥物を貯留させた状態（第２スクリューコンベア(132)は停止のまま）で、生ゴミ投入容器(106)の投入口(161)に高含水の生ゴミを投入し、その生ゴミを細断装置(163)で細断して貯留容器(105)内に投入する。そして、貯留容器(105)の撹拌装置(154)を作動させると、該貯留容器(105)内で乾燥済み被乾燥物と高含水の生ゴミとが撹拌・混合され、高含水の被乾燥物の表面に乾燥済み被乾燥物が接触して、高含水の被乾燥物の水分を乾燥済み被乾燥物で吸収したり高含水の被乾燥物に乾燥済み被乾燥物が付着するようになる。従って、新しい被乾燥物（生ゴミ）の粘着性やベタツキ性が軽減される。
【０２５０】
　このように、貯留容器(105)内で乾燥済み被乾燥物と高含水の生ゴミとを混合させた後、第２スクリューコンベア(132)、バケットコンベア(133)、送出装置(102)、第１スクリューコンベア(131)等を作動させて乾燥運転を再開させる。尚、乾燥運転をさせると、貯留容器(105)内で混合された被乾燥物が第２スクリューコンベア(132)及びバケットコンベア(133)内を経て乾燥容器(101)内に搬送され、該被乾燥物が順次乾燥容器(101)内及び搬送装置(103)内を循環して乾燥される。
【産業上の利用可能性】
【０２５１】
　本発明は、各種の含水物質を乾燥させる装置であり、例えば、ホテルやレストランなどにおいて、食品の調理時や食事後や賞味期限後に出る生ゴミ、または、食品・医薬品・健康食品などのメーカーにおいて、食品や医薬品や健康食品の製造時に出るその材料の含水物質の廃棄物などを、乾燥処理するのに好適である。
【図面の簡単な説明】
【０２５２】
【図１】図１−図１６は本発明の含水物質の乾燥装置の実施形態１を示す。図１は含水物質の乾燥装置の縦断正面図である。
【図２】含水物質の乾燥設備の乾燥処理系統図。
【０２５３】
【図３】図１のIII−III線断面図。
【図４】図３における乾燥作動状態を示す平面図であって、拡散用載せ板(８)上で被乾燥物(５)を近似渦巻き条材状(20)に形成しながら拡散移動させていく状態を示す。
【図５】図４のＶ部拡大図。
【図６】図６（Ａ）は図４のＡ−Ａ線断面図。図６（Ｂ）は図４のＢ−Ｂ線断面図。図６（Ｃ）は図４のＣ−Ｃ線断面図。図６（Ｄ）は図４のＤ−Ｄ線断面図。
【図７】図４の乾燥作動状態を示す平面図の展開図。
【０２５４】
【図８】図１のVIII−VIII線断面図。
【図９】図８における乾燥作動状態を示す平面図であって、集束用載せ板(11)上で被乾燥物(５)を近似渦巻き条材状(21)に形成しながら集束移動させていく状態を示す。
【図１０】図９のＸ部拡大図。
【図１１】図１１（Ａ）は図９のＡ−Ａ線断面図。図１１（Ｂ）は図９のＢ−Ｂ線断面図。図１１（Ｃ）は図９のＣ−Ｃ線断面図。図１１（Ｄ）は図９のＤ−Ｄ線断面図。
【図１２】図９の乾燥作動状態を示す平面図の展開図。
【０２５５】
【図１３】図３のXIII部の拡大図。
【図１４】図８のXIV部の拡大図。
【図１５】図１５（Ａ）は図１の各拡散用載せ板(８)の縦断正面図。図１５（Ｂ）は図１５（Ａ）の底面図。
【図１６】図１６（Ａ）は図１の各集束用載せ板(11)の縦断正面図。図１６（Ｂ）は図１６（Ａ）の底面図。
【０２５６】
【図１７】図１７・図１８は本発明の含水物質の乾燥装置の実施形態２を示す。図１７は図１の拡散用載せ板(８)の縦断正面図であって、実施形態１の図１５（Ａ）に相当する図である。
【図１８】図１の各集束用載せ板(11)の縦断正面図であって、実施形態１の図１６（Ａ）に相当する図である
【図１９】図１９は、本発明の含水物質の乾燥装置の実施形態３を示し、図１の拡散用載せ板(８)（または集束用載せ板(11)）の縦断正面図であって、実施形態１の図１５（Ａ）（または図１６（Ａ））に相当する図である。
【０２５７】
【図２０】図２０−図２３は本発明の生ゴミ乾燥装置の実施形態５を示す。図２０は生ゴミ乾燥装置の縦断正面図である。
【図２１】図２０の生ゴミ乾燥装置の一部拡大図。
【図２２】図２０のXXII−XXII線拡大断面図。
【図２３】図２０のXXIII−XXIII線拡大断面図。
【符号の説明】
【０２５８】
　１…乾燥室容器、　２…遠心方向拡散移送装置、　３…求心方向集束移送装置、　４…移送駆動装置、　５…被乾燥物、　６…投入口、　７…排出口、　８…拡散用載せ板、　９…拡散操作手段、　１０…外周部落下口、　１１…集束用載せ板、　１２…集束操作手段、　１３…中央部落下口、　１４…拡散操作羽根、　１５…拡散羽根支持具、　１６…集束操作羽根、　１７…集束羽根支持具、　１８…拡散羽根支持腕、　１９…集束羽根支持腕、　２０…近似渦巻き条材状、　２１…近似渦巻き条材状、
【０２５９】
　２２…条材状肉幅、　２３…一部の肉幅部分、　２４…残部の肉幅部分、　２５…条材状肉幅、　２６…一部の肉幅部分、　２７…残部の肉幅部分、　３１…遠心方向への押出し寸法、　３２…押出し用傾斜角度、　３３…求心方向への押込み寸法、　３４…押込み用傾斜角度、　３６…発熱体、　３７…遠赤外線発生層、　３８…遠赤外線発生層、　４０…発熱体、　４１…遠赤外線発生層、　４２…遠赤外線発生層、　４４…空気除湿器、　４５…空気加熱器、　４６…送風器、　４７…空気湿度センサ、
【０２６０】
　１０１…乾燥容器、　１０３…被乾燥物の搬送装置、　１０４…温風供給装置、　１０５…貯留容器、　１０６…生ゴミ投入容器、　１１２…被乾燥物の投入口、　１１３…被乾燥物の取出口、　１１４…棚板、　１１７…面状発熱体、　１３６…排出口、　１３７…扉、　１５１…生ゴミ投入口、　１６３…細断装置。
【図１】
2004125387.tif 000003
【図２】
2004125387.tif 000004
【図３】
2004125387.tif 000005
【図４】
2004125387.tif 000006
【図５】
2004125387.tif 000007
【図６】
2004125387.tif 000008
【図７】
2004125387.tif 000009
【図８】
2004125387.tif 000010
【図９】
2004125387.tif 000011
【図１０】
2004125387.tif 000012
【図１１】
2004125387.tif 000013
【図１２】
2004125387.tif 000014
【図１３】
2004125387.tif 000015
【図１４】
2004125387.tif 000016
【図１５】
2004125387.tif 000017
【図１６】
2004125387.tif 000018
【図１７】
2004125387.tif 000019
【図１８】
2004125387.tif 000020
【図１９】
2004125387.tif 000021
【図２０】
2004125387.tif 000022
【図２１】
2004125387.tif 000023
【図２２】
2004125387.tif 000024
【図２３】
2004125387.tif 000025